(57)【要約】  本願の実施例は、情報伝送方法、端末デバイス及びネットワークデバイスに関する。該方法は、Ｎ個の上りリソースを決定することと、該Ｎ個の上りリソースからＭ個の利用可能な上りリソースを決定することと、該Ｍ個の利用可能な上りリソースを利用して、該Ｍ個の利用可能な上りリソースに対応するＭセットの上りフィードバック情報を該ネットワークデバイスに送信することとを含み、該Ｎ個の上りリソースがＮセットの上りフィードバック情報を搬送するために使用され、該Ｎセットの上りフィードバック情報がＮセットの下りリソース内のデータ伝送状況をフィードバックするために使用され、ここで、ｉ番目の上りリソースに対応するｉ番目のセットの上りフィードバック情報がｉ番目のセットの下りリソース内のデータ伝送状況をフィードバックするために使用され、ｉが１よりも大きい場合に該ｉ番目のセットの下りリソースがｉ−１番目のセットの下りリソースの全部又は一部を含み、Ｎが１よりも大きい正の整数であり、ｉ＝１、２、３、……、Ｎであり、ＭがＮ以下の正の整数である。本願の実施例における情報伝送方法、端末デバイス及びネットワークデバイスは、データ伝送信頼性を向上させることができる。
2022500893.tif 000002
【特許請求の範囲】
【請求項１】
Ｎ個の上りリソースを決定することと、
前記Ｎ個の上りリソースからＭ個の利用可能な上りリソースを決定することと、
前記Ｍ個の利用可能な上りリソースを利用して、前記Ｍ個の利用可能な上りリソースに対応するＭセットの上りフィードバック情報をネットワークデバイスに送信することとを含み、
前記Ｎ個の上りリソースがＮセットの上りフィードバック情報を搬送するために使用され、前記Ｎセットの上りフィードバック情報がＮセットの下りリソース内のデータ伝送状況をフィードバックするために使用され、ｉ番目の上りリソースに対応するｉ番目のセットの上りフィードバック情報がｉ番目のセットの下りリソース内のデータ伝送状況をフィードバックするために使用され、ｉが１よりも大きい場合に前記ｉ番目のセットの下りリソースがｉ−１番目のセットの下りリソースの全部又は一部を含み、Ｎが１よりも大きい正の整数であり、ｉ＝１、２、３、４、……、Ｎであり、ＭがＮ以下の正の整数である
ことを特徴とする情報伝送方法。
【請求項２】
前記Ｎセットの下りリソースの終了時刻が前記Ｎ個の上りリソースの開始時刻の前に位置し、又は、
前記ｉ番目のセットの下りリソースの終了時刻が前記ｉ番目の上りリソースの開始時刻の前に位置する
ことを特徴とする請求項１に記載の情報伝送方法。
【請求項３】
前記ｉ番目のセットの下りリソースの終了時刻とｉ番目の上りリソースの開始時刻との時間差が処理遅延以上であり、前記処理遅延は、前記ｉ番目のセットの下りリソースを占用して伝送するデータを処理するために使用される時間に基づいて決定される
ことを特徴とする請求項２に記載の情報伝送方法。
【請求項４】
前記処理遅延は、前記ｉ番目のセットの下りリソースを占用して伝送する物理下り共有チャネルＰＤＳＣＨの復号時間、前記ＰＤＳＣＨにおけるＤＭＲＳ構成及び前記ｉ番目のセットの上りフィードバック情報が搬送される物理チャネルのうちの少なくとも１つのパラメータに基づいて決定される
ことを特徴とする請求項３に記載の情報伝送方法。
【請求項５】
前記Ｎ個の上りリソースからＭ個の利用可能な上りリソースを決定することは、
ＬＢＴ検出で前記Ｎ個の上りリソースから前記Ｍ個の利用可能な上りリソースを決定すること、又は、
前記Ｎ個の上りリソースとその前の下りリソースが同一のチャネル占用時間ＣＯＴに位置し、前記その前の下りリソースとの時間差が閾値以下である場合、前記Ｎ個の上りリソースを前記Ｍ個の利用可能な上りリソースとして決定し、Ｎ＝Ｍであること、又は、
前記Ｎ個の上りリソースがＮ１個の第１の上りリソース及びＮ２個の第２の上りリソースを含み、前記Ｎ１個の第１の上りリソースとその前の下りリソースが同一のＣＯＴに位置し、前記その前の下りリソースとの時間差が閾値以下である場合、前記Ｍ個の利用可能な上りリソースが前記Ｎ１個の第１の上りリソースを含むと決定し、前記Ｍ個の利用可能な上りリソースが前記Ｎ２個の第２の上りリソースのうちのＬＢＴ検出で決定された上りリソースを含むと決定することとを含む
ことを特徴とする請求項１〜４のいずれか１項に記載の情報伝送方法。
【請求項６】
前記閾値が１６usである
ことを特徴とする請求項５に記載の情報伝送方法。
【請求項７】
前記Ｎ個の上りリソースを決定することは、
前記ネットワークデバイスにより送信された、前記ｉ番目の上りリソースの開始時刻及び／又は終了時刻を示す第１の構成情報を受信すること、及び／又は、
前記Ｎセットの下りリソースの終了位置に基づいて前記ｉ番目の上りリソースの開始時刻を決定すること、及び／又は、
前記ｉ番目のセットの下りリソースの終了位置に基づいて前記ｉ番目の上りリソースの開始時刻を決定すること、及び／又は、
前記ｉ−１番目の上りリソースの位置に基づいて前記ｉ番目の上りリソースの開始時刻を決定し、ｉが１よりも大きいこと、及び／又は、
前記ｉ番目の上りリソースの持続時間に基づいて前記ｉ番目の上りリソースの終了時刻を決定し、前記ｉ番目の上りリソースの持続時間がプロトコルにより約定され又は前記ネットワークデバイスにより構成されることを含む
ことを特徴とする請求項１〜６のいずれか１項に記載の情報伝送方法。
【請求項８】
前記方法は、さらに、
前記ｉ番目のセットの下りリソースのパラメータを決定することを含み、
前記ｉ番目のセットの下りリソースのパラメータは、前記ｉ番目のセットの下りリソースの開始時刻、前記ｉ番目のセットの下りリソースの終了時刻及び前記ｉ番目のセットの下りリソースの持続時間のうちの少なくとも１つのパラメータを含む
ことを特徴とする請求項１〜７のいずれか１項に記載の情報伝送方法。
【請求項９】
前記ｉ番目のセットの下りリソースのパラメータを決定することは、
前記ネットワークデバイスにより送信された第２の構成情報を受信し、前記第２の構成情報に基づいて、前記ｉ番目のセットの下りリソースのパラメータを決定し、前記第２の構成情報が前記ｉ番目のセットの下りリソースの開始時刻、前記ｉ番目のセットの下りリソースの終了時刻、前記ｉ番目のセットの下りリソースの持続時間及び前記ｉ番目のセットの上りフィードバック情報の長さのうちの少なくとも１つのパラメータを含むこと、又は、
前記ｉ番目の上りリソースの開始時刻に基づいて、前記ｉ番目のセットの下りリソースの終了時刻を決定すること、又は、
前記ｉ番目の上りリソースの開始時刻及び前記ｉ番目のセットの下りリソース持続時間に基づいて、前記ｉ番目のセットの下りリソースの開始時刻を決定すること、又は、
前記Ｎセットの下りデータが位置するＣＯＴの時間位置に基づいて、前記ｉ番目のセットの下りリソースの開始時刻及び／又は終了時刻を決定することを含む
ことを特徴とする請求項８に記載の情報伝送方法。
【請求項１０】
前記ｉ番目のセットの下りリソースの開始時刻を決定することは、
第１のＣＯＴの開始時刻を前記ｉ番目のセットの下りリソースの開始時刻として決定すること、又は、
第１のＣＯＴの開始時刻と第１のオフセット値との和に対応する時刻を前記ｉ番目のセットの下りリソースの開始時刻として決定し、前記Ｎセットの下りリソースにおける各セットの下りリソースが１つの第１のオフセット値に対応すること、又は、
第１のＣＯＴの終了時刻と第２のオフセット値との差に対応する時刻を前記ｉ番目のセットの下りリソースの開始時刻として決定し、前記Ｎセットの下りリソースが前記第１のＣＯＴ及び前記第１のＣＯＴの後の少なくとも１つＣＯＴに属すること、又は、
第１のＣＯＴの終了時刻と第２のオフセット値との差に対応する時刻を目標時刻として決定し、前記目標時刻と第１のオフセット値との和に対応する時刻を前記ｉ番目のセットの下りリソースの開始時刻として決定し、前記Ｎセットの下りリソースにおける各セットの下りリソースが１つの第１のオフセット値に対応することを含む
ことを特徴とする請求項８に記載の情報伝送方法。
【請求項１１】
前記第２のオフセット値は、前記ネットワークデバイスにより構成され、又は、前記ｉ番目のセットの下りリソースのデータの処理遅延に基づいて決定される
ことを特徴とする請求項１０に記載の情報伝送方法。
【請求項１２】
前記第２の構成情報が前記ｉ番目のセットの上りフィードバック情報の長さを含み、
前記ｉ番目のセットの下りリソースの持続時間を決定することは、
前記ｉ番目のセットの上りフィードバック情報の長さに基づいて、前記ｉ番目のセットの下りリソースの持続時間を決定することを含む
ことを特徴とする請求項９に記載の情報伝送方法。
【請求項１３】
前記Ｎ個の上りリソースが時間領域に連続する
ことを特徴とする請求項１〜１２のいずれか１項に記載の情報伝送方法。
【請求項１４】
前記Ｎ個の上りリソースからＭ個の利用可能な上りリソースを決定することは、
前記ｉ番目の上りリソースが利用可能であると決定する場合、前記Ｍ個の利用可能な上りリソースを前記ｉ番目の上りリソース及び前記ｉ番目の上りリソースの後の全ての上りリソースとして決定することを含む
ことを特徴とする請求項１〜１３のいずれか１項に記載の情報伝送方法。
【請求項１５】
前記Ｎ個の上りリソースが免許不要キャリアに位置する
ことを特徴とする請求項１〜１４のいずれか１項に記載の情報伝送方法。
【請求項１６】
前記Ｎ個の上りリソースからＭ個の利用可能な上りリソースを決定する前に、前記方法は、さらに、
前記Ｎセットの下りリソースにおいて少なくとも１つの下りデータを受信すると決定することを含む
ことを特徴とする請求項１〜１５のいずれか１項に記載の情報伝送方法。
【請求項１７】
前記方法は、さらに、
前記ｉ番目のセットの下りリソースにおいて下りデータを受信しない場合、前記ｉ番目のセットの上りフィードバック情報の全部を否定確認ＮＡＣＫ情報として決定することを含む
ことを特徴とする請求項１６に記載の情報伝送方法。
【請求項１８】
Ｍ個の利用可能な上りリソースで、端末デバイスにより送信された前記Ｍ個の利用可能な上りリソースに対応するＭセットの上りフィードバック情報を受信することを含み、
前記Ｍ個の利用可能な上りリソースが前記端末デバイスがＮ個の上りリソースから決定されるものであり、前記Ｎ個の上りリソースがＮセットの上りフィードバック情報を搬送するために使用され、前記Ｎセットの上りフィードバック情報がＮセットの下りリソース内のデータ伝送状況をフィードバックするために使用され、前記Ｎセットの上りフィードバック情報が前記Ｍセットの上りフィードバック情報を含み、ｉ番目の上りリソースに対応するｉ番目のセットの上りフィードバック情報がｉ番目のセットの下りリソース内のデータ伝送状況をフィードバックするために使用され、ｉが１よりも大きい場合に前記ｉ番目のセットの下りリソースがｉ−１番目のセットの下りリソースの全部又は一部を含み、Ｎが１よりも大きい正の整数であり、ｉ＝１、２、３、４、……、Ｎであり、ＭがＮ以下の正の整数である
ことを特徴とする情報伝送方法。
【請求項１９】
前記Ｎセットの下りリソースの終了時刻が前記Ｎ個の上りリソースの開始時刻の前に位置し、又は、
前記ｉ番目のセットの下りリソースの終了時刻が前記ｉ番目の上りリソースの開始時刻の前に位置する
ことを特徴とする請求項１８に記載の情報伝送方法。
【請求項２０】
前記ｉ番目のセットの下りリソースの終了時刻とｉ番目の上りリソースの開始時刻との時間差が処理遅延以上であり、前記処理遅延は、前記端末デバイスが前記ｉ番目のセットの下りリソースのデータを処理するために使用される時間に基づいて決定される
ことを特徴とする請求項１８に記載の情報伝送方法。
【請求項２１】
前記処理遅延は、前記端末デバイスが前記ｉ番目のセットの下りリソースを占用して伝送する物理下り共有チャネルＰＤＳＣＨの復号時間、前記ＰＤＳＣＨにおけるＤＭＲＳ構成及び前記ｉ番目のセットの上りフィードバック情報が搬送される物理チャネルのうちの少なくとも１つのパラメータに基づいて決定される
ことを特徴とする請求項２０に記載の情報伝送方法。
【請求項２２】
前記方法は、さらに、
前記Ｎセットの下りリソースの終了位置に基づいて前記ｉ番目の上りリソースの開始時刻を決定すること、及び／又は、
前記ｉ番目のセットの下りリソースの終了位置に基づいて前記ｉ番目の上りリソースの開始時刻を決定すること、及び／又は、
前記ｉ−１番目の上りリソースの位置に基づいて、前記ｉ番目の上りリソースの開始時刻を決定し、ｉが１よりも大きいこと、及び／又は、
前記ｉ番目の上りリソースの持続時間に基づいて前記ｉ番目の上りリソースの終了時刻を決定することを含む
ことを特徴とする請求項１８〜２１のいずれか１項に記載の情報伝送方法。
【請求項２３】
前記方法は、さらに、
前記ｉ番目の上りリソースの開始時刻及び／又は終了時刻を示す第１の構成情報を前記端末デバイスに送信することを含む
ことを特徴とする請求項２２に記載の情報伝送方法。
【請求項２４】
前記方法は、さらに、
前記ｉ番目のセットの下りリソースのパラメータを決定することを含み、前記ｉ番目のセットの下りリソースのパラメータは、前記ｉ番目のセットの下りリソースの開始時刻、前記ｉ番目のセットの下りリソースの終了時刻及び前記ｉ番目のセットの下りリソースの持続時間のうちの少なくとも１つのパラメータを含む
ことを特徴とする請求項１８〜２３のいずれか１項に記載の情報伝送方法。
【請求項２５】
前記ｉ番目のセットの下りリソースのパラメータを決定することは、
前記ｉ番目の上りリソースの開始時刻に基づいて、前記ｉ番目のセットの下りリソースの終了時刻を決定すること、又は、
前記ｉ番目の上りリソースの開始時刻及び前記ｉ番目のセットの下りリソース持続時間に基づいて、前記ｉ番目のセットの下りリソースの開始時刻を決定すること、又は、
前記Ｎセットの下りデータが位置するＣＯＴの時間位置に基づいて、前記ｉ番目のセットの下りリソースの開始時刻及び／又は終了時刻を決定することを含む
ことを特徴とする請求項２４に記載の情報伝送方法。
【請求項２６】
前記方法は、さらに、
前記端末デバイスに第２の構成情報を送信し、前記第２の構成情報に基づいて、前記ｉ番目のセットの下りリソースのパラメータを決定することを含み、
前記第２の構成情報が前記ｉ番目のセットの下りリソースの開始時刻、前記ｉ番目のセットの下りリソースの終了時刻、前記ｉ番目のセットの下りリソースの持続時間及び前記ｉ番目のセットの上りフィードバック情報の長さのうちの少なくとも１つのパラメータを含む
ことを特徴とする請求項２５に記載の情報伝送方法。
【請求項２７】
前記ｉ番目のセットの下りリソースの開始時刻を決定することは、
第１のＣＯＴの開始時刻を前記ｉ番目のセットの下りリソースの開始時刻として決定すること、又は、
第１のＣＯＴの開始時刻と第１のオフセット値との和に対応する時刻を前記ｉ番目のセットの下りリソースの開始時刻として決定し、前記Ｎセットの下りリソースにおける各セットの下りリソースが１つの第１のオフセット値に対応すること、又は、
第１のＣＯＴの終了時刻と第２のオフセット値との差に対応する時刻を前記ｉ番目のセットの下りリソースの開始時刻として決定し、前記Ｎセットの下りリソースが前記第１のＣＯＴ及び前記第１のＣＯＴの後の少なくとも１つＣＯＴに属すること、又は、
第１のＣＯＴの終了時刻と第２のオフセット値との差に対応する時刻を目標時刻として決定し、前記目標時刻と第１のオフセット値との和に対応する時刻を前記ｉ番目のセットの下りリソースの開始時刻として決定し、前記Ｎセットの下りリソースにおける各セットの下りリソースが１つの第１のオフセット値に対応することを含む
ことを特徴とする請求項２４に記載の情報伝送方法。
【請求項２８】
前記第２のオフセット値は、前記ネットワークデバイスにより構成され、又は、前記ｉ番目のセットの下りリソースのデータの処理遅延に基づいて決定される
ことを特徴とする請求項２７に記載の情報伝送方法。
【請求項２９】
前記ｉ番目のセットの下りリソースの持続時間を決定することは、
前記ｉ番目のセットの上りフィードバック情報の長さに基づいて、前記ｉ番目のセットの下りリソースの持続時間を決定することを含む
ことを特徴とする請求項２５又は２６に記載の情報伝送方法。
【請求項３０】
前記Ｎ個の上りリソースが時間領域に連続する
ことを特徴とする請求項１８〜２９のいずれか１項に記載の情報伝送方法。
【請求項３１】
前記ｉ番目の上りリソースが利用可能な上りリソースである場合、前記ｉ番目の上りリソース及び前記ｉ番目の上りリソースの後の全ての上りリソースが前記Ｍ個の利用可能な上りリソースである
ことを特徴とする請求項１８〜３０のいずれか１項に記載の情報伝送方法。
【請求項３２】
前記Ｎ個の上りリソースが免許不要キャリアに位置する
ことを特徴とする請求項１８〜３１のいずれか１項に記載の情報伝送方法。
【請求項３３】
前記端末デバイスにより送信された前記Ｍ個の利用可能な上りリソースに対応するＭセットの上りフィードバック情報を受信する前に、前記方法は、さらに、
前記Ｎセットの下りリソースにおいて少なくとも１つの下りデータを送信することを含む
ことを特徴とする請求項１８〜３２のいずれか１項に記載の情報伝送方法。
【請求項３４】
処理ユニットと、送受信ユニットとを備える端末デバイスであって、
前記処理ユニットは、Ｎ個の上りリソースを決定するように構成され、前記Ｎ個の上りリソースがＮセットの上りフィードバック情報を搬送するために使用され、前記Ｎセットの上りフィードバック情報がＮセットの下りリソース内のデータ伝送状況をフィードバックするために使用され、ｉ番目の上りリソースに対応するｉ番目のセットの上りフィードバック情報がｉ番目のセットの下りリソース内のデータ伝送状況をフィードバックするために使用され、ｉが１よりも大きい場合に前記ｉ番目のセットの下りリソースがｉ−１番目のセットの下りリソースの全部又は一部を含み、Ｎが１よりも大きい正の整数であり、ｉ＝１、２、３、４、……、Ｎであり、
前記処理ユニットは、さらに、前記Ｎ個の上りリソースからＭ個の利用可能な上りリソースを決定するように構成され、ＭがＮ以下の正の整数であり、
前記送受信ユニットは、前記Ｍ個の利用可能な上りリソースを利用して、前記Ｍ個の利用可能な上りリソースに対応するＭセットの上りフィードバック情報をネットワークデバイスに送信するように構成される
ことを特徴とする端末デバイス。
【請求項３５】
前記Ｎセットの下りリソースの終了時刻が前記Ｎ個の上りリソースの開始時刻の前に位置し、又は、
前記ｉ番目のセットの下りリソースの終了時刻が前記ｉ番目の上りリソースの開始時刻の前に位置する
ことを特徴とする請求項３４に記載の端末デバイス。
【請求項３６】
前記ｉ番目のセットの下りリソースの終了時刻とｉ番目の上りリソースの開始時刻との時間差が処理遅延以上であり、前記処理遅延は、前記ｉ番目のセットの下りリソースのデータを処理するために使用される時間に基づいて決定される
ことを特徴とする請求項３５に記載の端末デバイス。
【請求項３７】
前記処理遅延は、前記ｉ番目のセットの下りリソースを占用して伝送する物理下り共有チャネルＰＤＳＣＨの復号時間、前記ＰＤＳＣＨにおけるＤＭＲＳ構成及び前記ｉ番目のセットの上りフィードバック情報が搬送される物理チャネルのうちの少なくとも１つのパラメータに基づいて決定される
ことを特徴とする請求項３６に記載の端末デバイス。
【請求項３８】
前記処理ユニットは、さらに、
ＬＢＴ検出で前記Ｎ個の上りリソースから前記Ｍ個の利用可能な上りリソースを決定し、又は、
前記Ｎ個の上りリソースとその前の下りリソースが同一のチャネル占用時間ＣＯＴに位置し、前記その前の下りリソースとの時間差が閾値以下である場合、前記Ｎ個の上りリソースを前記Ｍ個の利用可能な上りリソースとして決定し、Ｎ＝Ｍであり、又は、
前記Ｎ個の上りリソースがＮ１個の第１の上りリソース及びＮ２個の第２の上りリソースを含み、前記Ｎ１個の第１の上りリソースとその前の下りリソースが同一のＣＯＴに位置し、前記その前の下りリソースとの時間差が閾値以下である場合、前記Ｍ個の利用可能な上りリソースが前記Ｎ１個の第１の上りリソースを含むと決定し、前記Ｍ個の利用可能な上りリソースが前記Ｎ２個の第２の上りリソースのうちのＬＢＴ検出で決定された上りリソースを含むと決定するように構成される
ことを特徴とする請求項３４〜３７のいずれか１項に記載の端末デバイス。
【請求項３９】
前記閾値が１６usである
ことを特徴とする請求項３８に記載の端末デバイス。
【請求項４０】
前記処理ユニットは、さらに、
前記送受信ユニットを介して前記ネットワークデバイスにより送信された、前記ｉ番目の上りリソースの開始時刻及び／又は終了時刻を示す第１の構成情報を受信し、及び／又は、
前記Ｎセットの下りリソースの終了位置に基づいて前記ｉ番目の上りリソースの開始時刻を決定し、及び／又は、
前記ｉ番目のセットの下りリソースの終了位置に基づいて前記ｉ番目の上りリソースの開始時刻を決定し、及び／又は、
前記ｉ−１番目の上りリソースの位置に基づいて前記ｉ番目の上りリソースの開始時刻を決定し、ｉが１よりも大きく、及び／又は、
前記ｉ番目の上りリソースの持続時間に基づいて前記ｉ番目の上りリソースの終了時刻を決定し、前記ｉ番目の上りリソースの持続時間がプロトコルにより約定され又は前記ネットワークデバイスにより構成されるように構成される
ことを特徴とする請求項３４〜３９のいずれか１項に記載の端末デバイス。
【請求項４１】
前記処理ユニットは、さらに、
前記ｉ番目のセットの下りリソースのパラメータを決定するように構成され、前記ｉ番目のセットの下りリソースのパラメータは、前記ｉ番目のセットの下りリソースの開始時刻、前記ｉ番目のセットの下りリソースの終了時刻及び前記ｉ番目のセットの下りリソースの持続時間のうちの少なくとも１つのパラメータを含む
ことを特徴とする請求項３４〜４０のいずれか１項に記載の端末デバイス。
【請求項４２】
前記処理ユニットは、さらに、
前記送受信ユニットを介して前記ネットワークデバイスにより送信された第２の構成情報を受信し、前記第２の構成情報に基づいて、前記ｉ番目のセットの下りリソースのパラメータを決定し、前記第２の構成情報が前記ｉ番目のセットの下りリソースの開始時刻、前記ｉ番目のセットの下りリソースの終了時刻、前記ｉ番目のセットの下りリソースの持続時間及び前記ｉ番目のセットの上りフィードバック情報の長さのうちの少なくとも１つのパラメータを含み、又は、
前記ｉ番目の上りリソースの開始時刻に基づいて、前記ｉ番目のセットの下りリソースの終了時刻を決定し、又は、
前記ｉ番目の上りリソースの開始時刻及び前記ｉ番目のセットの下りリソース持続時間に基づいて、前記ｉ番目のセットの下りリソースの開始時刻を決定し、又は、
前記Ｎセットの下りデータが位置するＣＯＴの時間位置に基づいて、前記ｉ番目のセットの下りリソースの開始時刻及び／又は終了時刻を決定するように構成される
ことを特徴とする請求項４１に記載の端末デバイス。
【請求項４３】
前記処理ユニットは、さらに、
第１のＣＯＴの開始時刻を前記ｉ番目のセットの下りリソースの開始時刻として決定し、又は、
第１のＣＯＴの開始時刻と第１のオフセット値との和に対応する時刻を前記ｉ番目のセットの下りリソースの開始時刻として決定し、前記Ｎセットの下りリソースにおける各セットの下りリソースが１つの第１のオフセット値に対応し、又は、
第１のＣＯＴの終了時刻と第２のオフセット値との差に対応する時刻を前記ｉ番目のセットの下りリソースの開始時刻として決定し、前記Ｎセットの下りリソースが前記第１のＣＯＴ及び前記第１のＣＯＴの後の少なくとも１つＣＯＴに属し、又は、
第１のＣＯＴの終了時刻と第２のオフセット値との差に対応する時刻を目標時刻として決定し、前記目標時刻と第１のオフセット値との和に対応する時刻を前記ｉ番目のセットの下りリソースの開始時刻として決定し、前記Ｎセットの下りリソースにおける各セットの下りリソースが１つの第１のオフセット値に対応するように構成される
ことを特徴とする請求項４１に記載の端末デバイス。
【請求項４４】
前記第２のオフセット値は、前記ネットワークデバイスにより構成され、又は、前記ｉ番目のセットの下りリソースのデータの処理遅延に基づいて決定される
ことを特徴とする請求項４３に記載の端末デバイス。
【請求項４５】
前記第２の構成情報が前記ｉ番目のセットの上りフィードバック情報の長さを含み、
前記処理ユニットは、さらに、
前記ｉ番目のセットの上りフィードバック情報の長さに基づいて、前記ｉ番目のセットの下りリソースの持続時間を決定するように構成される
ことを特徴とする請求項４２に記載の端末デバイス。
【請求項４６】
前記Ｎ個の上りリソースが時間領域に連続する
ことを特徴とする請求項３４〜４５のいずれか１項に記載の端末デバイス。
【請求項４７】
前記処理ユニットは、さらに、
前記ｉ番目の上りリソースが利用可能であると決定する場合、前記Ｍ個の利用可能な上りリソースを前記ｉ番目の上りリソース及び前記ｉ番目の上りリソースの後の全ての上りリソースとして決定するように構成される
ことを特徴とする請求項３４〜４６のいずれか１項に記載の端末デバイス。
【請求項４８】
前記Ｎ個の上りリソースが免許不要キャリアに位置する
ことを特徴とする請求項３４〜４７のいずれか１項に記載の端末デバイス。
【請求項４９】
前記処理ユニットは、さらに、
前記Ｎ個の上りリソースからＭ個の利用可能な上りリソースを決定する前に、前記Ｎセットの下りリソースにおいて少なくとも１つの下りデータを受信すると決定するように構成される
ことを特徴とする請求項３４〜４８のいずれか１項に記載の端末デバイス。
【請求項５０】
前記処理ユニットは、さらに、
前記ｉ番目のセットの下りリソースにおいて下りデータを受信しない場合、前記ｉ番目のセットの上りフィードバック情報の全部を否定確認ＮＡＣＫ情報として決定するように構成される
ことを特徴とする請求項４９に記載の端末デバイス。
【請求項５１】
送受信ユニットとを備えるネットワークデバイスであって、
前記送受信ユニットは、Ｍ個の利用可能な上りリソースで、端末デバイスにより送信された前記Ｍ個の利用可能な上りリソースに対応するＭセットの上りフィードバック情報を受信するように構成され、
前記Ｍ個の利用可能な上りリソースが前記端末デバイスがＮ個の上りリソースから決定されるものであり、前記Ｎ個の上りリソースがＮセットの上りフィードバック情報を搬送するために使用され、前記Ｎセットの上りフィードバック情報がＮセットの下りリソース内のデータ伝送状況をフィードバックするために使用され、前記Ｎセットの上りフィードバック情報が前記Ｍセットの上りフィードバック情報を含み、ｉ番目の上りリソースに対応するｉ番目のセットの上りフィードバック情報がｉ番目のセットの下りリソース内のデータ伝送状況をフィードバックするために使用され、ｉが１よりも大きい場合に前記ｉ番目のセットの下りリソースがｉ−１番目のセットの下りリソースの全部又は一部を含み、Ｎが１よりも大きい正の整数であり、ｉ＝１、２、３、４、……、Ｎであり、ＭがＮ以下の正の整数である
ことを特徴とするネットワークデバイス。
【請求項５２】
前記Ｎセットの下りリソースの終了時刻が前記Ｎ個の上りリソースの開始時刻の前に位置し、又は、
前記ｉ番目のセットの下りリソースの終了時刻が前記ｉ番目の上りリソースの開始時刻の前に位置する
ことを特徴とする請求項５１に記載のネットワークデバイス。
【請求項５３】
前記ｉ番目のセットの下りリソースの終了時刻とｉ番目の上りリソースの開始時刻との時間差が処理遅延以上であり、前記処理遅延は、前記端末デバイスが前記ｉ番目のセットの下りリソースのデータを処理するために使用される時間に基づいて決定される
ことを特徴とする請求項５２に記載のネットワークデバイス。
【請求項５４】
前記処理遅延は、前記端末デバイスが前記ｉ番目のセットの下りリソースを占用して伝送する物理下り共有チャネルＰＤＳＣＨの復号時間、前記ＰＤＳＣＨにおけるＤＭＲＳ構成及び前記ｉ番目のセットの上りフィードバック情報が搬送される物理チャネルのうちの少なくとも１つのパラメータに基づいて決定される
ことを特徴とする請求項５３に記載のネットワークデバイス。
【請求項５５】
前記ネットワークデバイスが処理ユニットをさらに含み、
前記処理ユニットは、
前記Ｎセットの下りリソースの終了位置に基づいて前記ｉ番目の上りリソースの開始時刻を決定し、及び／又は、
前記ｉ番目のセットの下りリソースの終了位置に基づいて前記ｉ番目の上りリソースの開始時刻を決定し、及び／又は、
前記ｉ−１番目の上りリソースの位置に基づいて、前記ｉ番目の上りリソースの開始時刻を決定し、ｉが１よりも大きく、及び／又は、
前記ｉ番目の上りリソースの持続時間に基づいて前記ｉ番目の上りリソースの終了時刻を決定するように構成される
ことを特徴とする請求項５１〜５４のいずれか１項に記載のネットワークデバイス。
【請求項５６】
前記送受信ユニットは、さらに、
前記ｉ番目の上りリソースの開始時刻及び／又は終了時刻を示す第１の構成情報を前記端末デバイスに送信するように構成される
ことを特徴とする請求項５５に記載のネットワークデバイス。
【請求項５７】
前記ネットワークデバイスが処理ユニットをさらに含み、
前記処理ユニットは、
前記ｉ番目のセットの下りリソースのパラメータを決定するように構成され、前記ｉ番目のセットの下りリソースのパラメータは、前記ｉ番目のセットの下りリソースの開始時刻、前記ｉ番目のセットの下りリソースの終了時刻及び前記ｉ番目のセットの下りリソースの持続時間のうちの少なくとも１つのパラメータを含む
ことを特徴とする請求項５１〜５６のいずれか１項に記載のネットワークデバイス。
【請求項５８】
前記処理ユニットは、さらに、
前記ｉ番目の上りリソースの開始時刻に基づいて、前記ｉ番目のセットの下りリソースの終了時刻を決定し、又は、
前記ｉ番目の上りリソースの開始時刻及び前記ｉ番目のセットの下りリソース持続時間に基づいて、前記ｉ番目のセットの下りリソースの開始時刻を決定し、又は、
前記Ｎセットの下りデータが位置するＣＯＴの時間位置に基づいて、前記ｉ番目のセットの下りリソースの開始時刻及び／又は終了時刻を決定するように構成される
ことを特徴とする請求項５７に記載のネットワークデバイス。
【請求項５９】
前記送受信ユニットは、さらに、
前記端末デバイスに第２の構成情報を送信し、前記第２の構成情報に基づいて、前記ｉ番目のセットの下りリソースのパラメータを決定するように構成され、
前記第２の構成情報が前記ｉ番目のセットの下りリソースの開始時刻、前記ｉ番目のセットの下りリソースの終了時刻、前記ｉ番目のセットの下りリソースの持続時間及び前記ｉ番目のセットの上りフィードバック情報の長さのうちの少なくとも１つのパラメータを含む
ことを特徴とする請求項５８に記載のネットワークデバイス。
【請求項６０】
前記処理ユニットは、さらに、
第１のＣＯＴの開始時刻を前記ｉ番目のセットの下りリソースの開始時刻として決定し、又は、
第１のＣＯＴの開始時刻と第１のオフセット値との和に対応する時刻を前記ｉ番目のセットの下りリソースの開始時刻として決定し、前記Ｎセットの下りリソースにおける各セットの下りリソースが１つの第１のオフセット値に対応し、又は、
第１のＣＯＴの終了時刻と第２のオフセット値との差に対応する時刻を前記ｉ番目のセットの下りリソースの開始時刻として決定し、前記Ｎセットの下りリソースが前記第１のＣＯＴ及び前記第１のＣＯＴの後の少なくとも１つＣＯＴに属し、又は、
第１のＣＯＴの終了時刻と第２のオフセット値との差に対応する時刻を目標時刻として決定し、前記目標時刻と第１のオフセット値との和に対応する時刻を前記ｉ番目のセットの下りリソースの開始時刻として決定し、前記Ｎセットの下りリソースにおける各セットの下りリソースが１つの第１のオフセット値に対応するように構成される
ことを特徴とする請求項５７に記載のネットワークデバイス。
【請求項６１】
前記第２のオフセット値は、前記ネットワークデバイスにより構成され、又は、前記ｉ番目のセットの下りリソースのデータの処理遅延に基づいて決定される
ことを特徴とする請求項６０に記載のネットワークデバイス。
【請求項６２】
前記処理ユニットは、さらに、
前記ｉ番目のセットの上りフィードバック情報の長さに基づいて、前記ｉ番目のセットの下りリソースの持続時間を決定するように構成される
ことを特徴とする請求項５８又は５９に記載のネットワークデバイス。
【請求項６３】
前記Ｎ個の上りリソースが時間領域に連続する
ことを特徴とする請求項５１〜６２のいずれか１項に記載のネットワークデバイス。
【請求項６４】
前記ｉ番目の上りリソースが利用可能な上りリソースである場合、前記ｉ番目の上りリソース及び前記ｉ番目の上りリソースの後の全ての上りリソースが前記Ｍ個の利用可能な上りリソースである
ことを特徴とする請求項５１〜６３のいずれか１項に記載のネットワークデバイス。
【請求項６５】
前記Ｎ個の上りリソースが免許不要キャリアに位置する
ことを特徴とする請求項５１〜６４のいずれか１項に記載のネットワークデバイス。
【請求項６６】
前記送受信ユニットは、さらに、
前記端末デバイスにより送信された前記Ｍ個の利用可能な上りリソースに対応するＭセットの上りフィードバック情報を受信する前に、前記Ｎセットの下りリソースにおいて少なくとも１つの下りデータを送信するように構成される
ことを特徴とする請求項５１〜６５のいずれか１項に記載のネットワークデバイス。
【請求項６７】
コンピュータプログラムを記憶するメモリと、
前記メモリに記憶されたコンピュータプログラムを呼び出して実行し、請求項１〜１７のいずれか１項に記載の方法を実行するプロセッサとを有する
ことを特徴とする端末デバイス。
【請求項６８】
コンピュータプログラムを記憶するメモリと、
前記メモリに記憶されたコンピュータプログラムを呼び出して実行し、請求項１８〜３３のいずれか１項に記載の方法を実行するプロセッサとを有する
ことを特徴とするネットワークデバイス。
【請求項６９】
コンピュータプログラムをメモリから呼び出し、チップが搭載されるデバイスに請求項１〜１７のいずれか１項に記載の方法を実行させるプロセッサを備える
ことを特徴とするチップ。
【請求項７０】
コンピュータプログラムをメモリから呼び出し、チップが搭載されるデバイスに請求項１８〜３３のいずれか１項に記載の方法を実行させるプロセッサを備える
ことを特徴とするチップ。
【請求項７１】
コンピュータに請求項１〜１７のいずれか１項に記載の方法を実行させるコンピュータプログラムを記憶する
ことを特徴とするコンピュータ可読記憶媒体。
【請求項７２】
コンピュータに請求項１８〜３３のいずれか１項に記載の方法を実行させるコンピュータプログラムを記憶する
ことを特徴とするコンピュータ可読記憶媒体。
【請求項７３】
コンピュータに請求項１〜１７のいずれか１項に記載の方法を実行させるコンピュータプログラム命令を含む
ことを特徴とするコンピュータプログラム製品。
【請求項７４】
コンピュータに請求項１８〜３３のいずれか１項に記載の方法を実行させるコンピュータプログラム命令を含む
ことを特徴とするコンピュータプログラム製品。
【請求項７５】
コンピュータに請求項１〜１７のいずれか１項に記載の方法を実行させる
ことを特徴とするコンピュータプログラム。
【請求項７６】
コンピュータに請求項１８〜３３のいずれか１項に記載の方法を実行させる
ことを特徴とするコンピュータプログラム。
【発明の詳細な説明】
【技術分野】
【０００１】
本願は、通信分野に関し、特に、情報伝送方法、端末デバイス及びネットワークデバイスに関する。
【背景技術】
【０００２】
ＬＴＥ ( Ｌｏｎｇ Ｔｅｒｍ Ｅｖｏｌｕｔｉｏｎ )システムでは、上り情報の信頼性を保証するために、免許不要スペクトル上で下りチャネル/信号が伝送され、対応する上り情報が免許スペクトル上で伝送される。
【０００３】
新規無線( Ｎｅｗ Ｒａｄｉｏ、ＮＲ )システムは、スタンドアロン動作をサポートする必要があるため、免許不要スペクトル上で下りチャネル/信号に対応する上り情報の伝送をサポートする必要がある。
【発明の概要】
【０００４】
本願の実施例は、データ伝送の信頼性を向上させることができる情報伝送方法、端末デバイス及びネットワークデバイスを提供する。
【０００５】
第１の態様は、情報伝送方法を提供し、Ｎ個の上りリソースを決定することと、該Ｎ個の上りリソースからＭ個の利用可能な上りリソースを決定することと、該Ｍ個の利用可能な上りリソースを利用して、該Ｍ個の利用可能な上りリソースに対応するＭセットの上りフィードバック情報を該ネットワークデバイスに送信することと、を含み、該Ｎ個の上りリソースがＮセットの上りフィードバック情報を搬送するために使用され、該Ｎセットの上りフィードバック情報がＮセットの下りリソース内のデータ伝送状況をフィードバックするために使用され、ここで、ｉ番目の上りリソースに対応するｉ番目のセットの上りフィードバック情報がｉ番目のセットの下りリソース内のデータ伝送状況をフィードバックするために使用され、ｉが１よりも大きい場合に該ｉ番目のセットの下りリソースがｉ−１番目のセットの下りリソースの全部又は一部を含み、Ｎが１よりも大きい正の整数であり、ｉ＝１、２、３、４、……、Ｎであり、ＭがＮ以下の正の整数である。
【０００６】
第２の態様は、情報伝送方法を提供し、Ｍ個の利用可能な上りリソースで端末デバイスにより送信された該Ｍ個の利用可能な上りリソースに対応するＭセットの上りフィードバック情報を受信することを含み、該Ｍ個の利用可能な上りリソースは、該端末デバイスがＮ個の上りリソースから決定され、該Ｎ個の上りリソースがＮセットの上りフィードバック情報を搬送するために使用され、該Ｎセットの上りフィードバック情報がＮセットの下りリソース内のデータ伝送状況をフィードバックするために使用され、ここで、該Ｎセットの上りフィードバック情報が該Ｍセットの上りフィードバック情報を含み、ｉ番目の上りリソースに対応するｉ番目のセットの上りフィードバック情報がｉ番目のセットの下りリソース内のデータ伝送状況をフィードバックするために使用され、ｉが１よりも大きい場合に該ｉ番目のセットの下りリソースがｉ−１番目のセットの下りリソースの全部又は一部を含み、Ｎが１よりも大きい正の整数であり、ｉ＝１、２、３、４、……、Ｎであり、ＭがＮ以下の正の整数である。
【０００７】
第３の態様は、上記第１の態様又はその様々な実施態様における方法を実行するための端末デバイスを提供する。具体的には、この端末デバイスは、上記第１の態様又はその各実施例による方法を実行するための機能モジュールを備える。
【０００８】
第４の態様は、上記第２の態様又はその様々な実施態様における方法を実行するためのネットワークデバイスを提供する。具体的には、このネットワークデバイスは、上記第２の態様又はその各実施例による方法を実行するための機能モジュールを備える。
【０００９】
第５の態様は、プロセッサとメモリとを備える端末デバイスを提供する。このメモリは、コンピュータプログラムを記憶し、プロセッサは、メモリに記憶されたコンピュータプログラムを呼び出して実行し、上記第１の態様またはその様々な実施例における方法を実行する。
【００１０】
第６の態様は、プロセッサとメモリとを備えるネットワークデバイスを提供する。このメモリは、コンピュータプログラムを記憶し、プロセッサは、メモリに記憶されたコンピュータプログラムを呼び出して実行し、上記第２の態様またはその様々な実施例における方法を実行する。
【００１１】
第７の態様は、上述の第１から第２の態様のいずれか、またはその各実施態様における方法を実施するためのチップを提供する。具体的には、コンピュータプログラムをメモリから呼び出して実行し、このチップが実装されたデバイスに、第１の態様から第２の態様のいずれか、またはそれらの実装形態による方法を実行させるプロセッサを含む。
【００１２】
第８の態様は、コンピュータに、上述の第１の態様から第２の態様のいずれか、またはそれらの実装形態における方法を実行させるコンピュータプログラムを記憶するコンピュータ可読記憶媒体を提供する。
【００１３】
第９の態様は、コンピュータに、上述の第１の態様から第２の態様のいずれか、またはそれらの実装形態における方法を実行させるコンピュータプログラム命令を含む、コンピュータプログラム製品を提供する。
【００１４】
第１０の態様は、コンピュータ上で実行されたときに、コンピュータに、上記の第１から第２の態様のいずれか、またはその様々な実施態様における方法を実行させるコンピュータプログラムを提供する。
【００１５】
上記の技術案によれば、端末デバイスは、Ｎ個の上りリソースを決定し、該Ｎ個の上りリソースにおいてＮセットの上りフィードバック情報を送信し、該Ｎセットの上りフィードバック情報を介してＮセットの下りリソースのデータ伝送状況をフィードバックし、ここで、該Ｎセットの下りリソースのうちのｉ番目のセットの下りリソースがｉ−１番目のセットの下りリソースの全部又は一部を含み、さらに、Ｎ個の上りリソースから利用可能な上りリソースを決定し、例えば、ＬＢＴ検出で利用可能な上りリソースを決定し、これにより、該上りリソースを利用してネットワークデバイスに対応する上りフィードバック情報を送信し、このように、端末デバイスがチャネルを占有する確率を増大し、データ伝送の信頼性を向上せることができる。
【図面の簡単な説明】
【００１６】
【図１】本願の実施例における通信システムのアーキテクチャの模式図である。
【図２】本願の実施例における伝送情報方法のフローチャートである。
【図３】本願の実施例における上りリソース及び下りリソースの分け方法の模式図である。
【図４】本願の実施例における下りリソースのグループ化方法の模式図である。
【図５】本願の実施例におけるＬＢＴ検出で決定された利用可能な上りリソースの模式図である。
【図６】本願の実施例における伝送情報方法の他のフローチャートである。
【図７】本願の実施例における端末デバイスのブロック図である。
【図８】本願の実施例におけるネットワークデバイスのブロック図である。
【図９】本願の実施例における通信デバイスのブロック図である。
【図１０】本願の実施例におけるチップのブロック図である。
【図１１】本願の実施例における通信システムのブロック図である。
【発明を実施するための形態】
【００１７】
以下、本願の実施例における技術案を、本願の実施例における図面を参照して説明するが、明らかに、記述された実施例は本願の一部の実施例であり、全ての実施例ではない。本願における実施例に基づいて、発明的な労働をすることなく当業者によって得られる他のすべての実施例は、本願の保護範囲に属する。
【００１８】
本願の実施例に係る技術方案は、様々な通信システム、例えば、ＧＳＭ (Ｇｌｏｂａｌ Ｓｙｓｔｅｍ ｏｆ Ｍｏｂｉｌｅ Ｃｏｍｍｕｎｉｃａｔｉｏｎ)システム、ＣＤＭＡ (Ｃｏｄｅ Ｄｉｖｉｓｉｏｎ Ｍｕｌｔｉｐｌｅ Ａｃｃｅｓｓ)システム、ＷＣＤＭＡ (Ｗｉｄｅｂａｎｄ Ｃｏｄｅ Ｄｉｖｉｓｉｏｎ Ｍｕｌｔｉｐｌｅ Ａｃｃｅｓｓ)システム、ＧＰＲＳ ( Ｇｅｎｅｒａｌ Ｐａｃｋｅｔ Ｒａｄｉｏ Ｓｅｒｖｉｃｅ )、ＬＴＥ ( Ｌｏｎｇ Ｔｅｒｍ Ｅｖｏｌｕｔｉｏｎ )システム、ＬＴＥのＦＤＤ ( Ｆｒｅｑｕｅｎｃｙ Ｄｉｖｉｓｉｏｎ Ｄｕｐｌｅｘ )システム、ＬＴＥのＴＤＤ ( Ｔｉｍｅ  Ｄｉｖｉｓｉｏｎ  Ｄｕｐｌｅｘ )システム、ＵＭＴＳ ( Ｕｎｉｖｅｒｓａｌ  Ｍｏｂｉｌｅ  Ｔｅｌｅｃｏｍｍｕｎｉｃａｔｉｏｎ  Ｓｙｓｔｅｍ )、ＷｉＭＡＸ ( Ｗｏｒｌｄｗｉｄｅ Ｉｎｔｅｒｏｐｅｒａｂｉｌｉｔｙ ｆｏｒ Ｍｉｃｒｏｗａｖｅ Ａｃｃｅｓｓ )通信システム又は５Ｇシステムに適用されることができる。
【００１９】
例示的に、本願の実施例が適用される通信システム１００を図１に示す。通信システム１００は、端末デバイス１２０(または通信端末、端末と呼ばれる)と通信するデバイスであり得るネットワークデバイス１１０を含み得る。ネットワークデバイス１１０は、特定の地理的エリアに通信カバレージを提供し得、カバレージエリア内に位置する端末デバイスと通信し得る。このネットワークデバイス１１０は、ＧＳＭシステムまたはＣＤＭＡシステムにおける基地局( Ｂａｓｅ Ｔｒａｎｓｃｅｉｖｅｒ Ｓｔａｔｉｏｎ、ＢＴＳ )であってもよいし、ＷＣＤＭＡシステムにおける基地局( ＮｏｄｅＢ、ＮＢ )であってもよいし、ＬＴＥシステムにおける進化型基地局( Ｅｖｏｌｕｔｉｏｎａｌ Ｎｏｄｅ Ｂ、ｅＮＢ又はｅＮｏｄｅＢ )であってもよいし、クラウド無線アクセスネットワーク( Ｃｌｏｕｄ Ｒａｄｉｏ Ａｃｃｅｓｓ Ｎｅｔｗｏｒｋ、ＣＲＡＮ )における無線コントローラであってもよいし、移動交換局、中継局、アクセスポイント、車載機器、ウェアラブル機器、集線装置、交換機、ブリッジ、ルータ、５Ｇネットワークにおけるネットワーク側機器または将来進化してくるＰｕｂｌｉｃ Ｌａｎｄ Ｍｏｂｉｌｅ Ｎｅｔｗｏｒｋ、ＰＬＭＮにおけるネットワークデバイス等であってもよい。
【００２０】
通信システム１００は、ネットワークデバイス１１０のカバレージ内に位置する少なくとも１つの端末デバイス１２０をさらに含む。ここで、「端末デバイス」とは、公衆回線交換網ＰＳＴＮ、ＤＳＬ、デジタル回線、直接ケーブルなどの有線回線接続、および/または別のデータ接続/ネットワーク、および/または、例えばセルラネットワーク、無線ローカルエリアネットワーク( ＷＬＡＮ )、例えばＤＶＢ−Ｈネットワークのようなディジタルテレビネットワーク、衛星ネットワーク、ＡＭ−ＦＭ放送送信機のための無線インターフェースを介し、及び/又は別の端末デバイスの通信信号を受信/送信するように構成された手段、および/またはＩｏＴ（Ｉｎｔｅｒｎｅｔ ｏｆ Ｔｈｉｎｇｓ）デバイスを含む。無線インターフェースを介して通信するように構成された端末デバイスは、「無線通信端末」、「無線端末」、または「モバイル端末」と呼ばれ得る。移動端末の例としては、衛星又は携帯電話、データ処理、ファックス、およびデータ通信能力と組み合わせたセルラー無線電話を有するパーソナル通信システム( ＰＣＳ )端末、無線電話、ページャ、インターネット/イントラネット接続、Ｗｅｂブラウザ、メモ帳、カレンダ、及び/又はＧＰＳ受信機を含むことができるＰＤＡ、および従来のラップトップおよび/またはパームトップ受信機または無線電話送受信機を含む他の電子デバイスが挙げられる。端末デバイスは、アクセス端末、UE、加入者ユニット、加入者局、移動局、遠隔端末、モバイルデバイス、加入者端末、ワイヤレス通信デバイス、ユーザエージェント、またはユーザ機器を指し得る。アクセス端末は、セルラー電話、コードレス電話、ＳＩＰ （ Ｓｅｓｓｉｏｎ Ｉｎｉｔｉａｔｉｏｎ Ｐｒｏｔｏｃｏｌ )電話、ＷＬＬ （ Ｗｉｒｅｌｅｓｓ Ｌｏｃａｌ Ｌｏｏｐ )局、ＰＤＡ ( Ｐｅｒｓｏｎａｌ Ｄｉｇｉｔａｌ Ａｓｓｉｓｔａｎｔ )、無線通信機能を有するハンドヘルド装置、ワイヤレスモデムに接続されたコンピューティング装置または他の処理装置、車載装置、ウェアラブル装置、５Ｇネットワーク内の端末デバイス、または将来進化してくるＰＬＭＮ内の端末デバイスなどであり得る。
【００２１】
任意選択で、端末デバイス１２０間でＤｅｖｉｃｅ ｔｏ Ｄｅｖｉｃｅ （ Ｄ２ｄ )通信が行われ得る。
【００２２】
任意選択で、５Ｇシステム又は５Ｇネットワークは、Ｎｅｗ Ｒａｄｉｏ ( ＮＲ )システム又はＮＲネットワークとも称され得る。
【００２３】
図１は、１つのネットワークデバイスと２つの端末デバイスとを例示的に示し、任意選択で、通信システム１００は、複数のネットワークデバイスを含んでもよく、各ネットワークデバイスのカバレッジ内に他の数の端末デバイスを含んでもよく、本願の実施例は、これに限定されない。
【００２４】
任意選択で、この通信システム１００は、ネットワークコントローラ、移動管理エンティティ等の他のネットワークエンティティをさらに含んでもよく、本願の実施例は、これに限定されない。
【００２５】
本願の実施例におけるネットワーク/システムにおける通信機能を有する装置は、通信デバイスと称されることもあることを理解されたい。図１に示す通信システム１００を例にとると、通信デバイスは、通信機能を有するネットワークデバイス１１０と端末デバイス１２０を含み、ネットワークデバイス１１０と端末デバイス１２０は、上述した具体的な装置であってもよく、ここでその説明が省略され、通信デバイスは、通信システム１００における他の装置、例えばネットワークコントローラ、移動管理エンティティ等の他のネットワークエンティティをさらに含んでもよく、本願実施例ではこれに限定されない。
【００２６】
本明細書において、用語「システム」及び「ネットワーク」は、しばしば、交換可能に使用されることが理解される。ここで言う「及び/又は」とは、単に関連対象を説明する関連関係のことであり、Ａ及び/又はＢのように３つの関係があり、Ａ単独の場合、ＡとＢの両方の場合、Ｂ単独の場合の３つの場合があることを意味する。また、本文中の「/」は、前後関係オブジェクトが「または」の関係であることを一般的に示す。
【００２７】
免許不要スペクトルにおいて、通信デバイス(例えば、ネットワークデバイス)は、信号を送信する前に、免許不要スペクトルにおけるチャネルのＬＢＴ（Ｌｉｓｔｅｎ Ｂｅｆｏｒｅ Ｔａｌｋ）検出を行う必要がある。ＬＢＴが成功した場合、通信デバイスは信号送信を行い、ＬＢＴが失敗した場合、通信デバイスは信号の送信を行うことができない。送信デバイスは信号を送信するときに不確実性を有するので、受信デバイスは、受信時に、送信デバイスが信号を送信できたかどうかを判断するブラインド検出を行う必要がある。公平性を保証するために、１回の伝送において、通信デバイスが免許不要スペクトルの信号を使用して信号伝送する時間の長さは、最大チャネル占有時間( Ｍａｘｉｍｕｍ Ｃｈａｎｎｅｌ Ｏｃｃｕｐａｔｉｏｎ Ｔｉｍｅ、ＭＣＯＴ )を超えることができない。
【００２８】
ＬＴＥシステムにおいて、上り情報の信頼性を保証するために、免許不要スペクトル上で下りチャネル/信号が伝送され、対応する上り情報が免許不要スペクトル上で伝送される。
【００２９】
ＮＲシステムは、スタンドアロン動作をサポートする必要があるため、免許不要スペクトル上で下りチャネル/信号に対応する上り情報の伝送をサポートする必要がある。
【００３０】
図２は本願の実施例における情報伝送方法２００のブロック図を示す。図２に示すように、該方法２００が端末デバイスにより実行され、例えば、図１に示す端末デバイスである。図２に示すように、該方法２００がＳ２１０を含み、Ｓ２１０において、Ｎ個の上りリソースを決定し、該Ｎ個の上りリソースがＮセットの上りフィードバック情報を搬送するために使用され、該Ｎセットの上りフィードバック情報がＮセットの下りリソース内のデータ伝送状況をフィードバックするために使用され、ここで、ｉ番目の上りリソースに対応するｉ番目のセットの上りフィードバック情報がｉ番目のセットの下りリソース内のデータ伝送状況をフィードバックするために使用され、ｉが１よりも大きい場合、該ｉ番目のセットの下りリソースがｉ−１番目のセットの下りリソースの一部又は全部全部を含み、Ｎが１よりも大きい正の整数であり、ｉ＝１、２、３、４、……、Ｎであり、Ｓ２２０において、該Ｎ個の上りリソースからＭ個の利用可能な上りリソースを決定し、ＭがＮ以下の正の整数であり、Ｓ２３０において、該Ｍ個の利用可能な上りリソースを利用して、該Ｍ個の利用可能な上りリソースに対応するＭセットの上りフィードバック情報を該ネットワークデバイスに送信する。
【００３１】
本願の実施例において、Ｓ２１０において、端末デバイスがＮ個の上りリソースを決定し、該Ｎ個の上りリソースがＮセットの上りフィードバック情報を搬送するために使用され、該Ｎ個の上りリソースとＮセットの上りフィードバック情報とが、一対一に対応関係を有する、該Ｎセットの上りフィードバック情報がＮセットの下りリソース内のデータ伝送状況をフィードバックするために使用され、該Ｎ個の上りフィードバック情報と該Ｎセットの下りリソースとが、一対一対応関係を有し、即ち、ｉ番目の上りリソースに対応するｉ番目のセットの上りフィードバック情報がｉ番目のセットの下りリソース内のデータ伝送状況をフィードバックするために使用され、ここで、Ｎが１よりも大きい正の整数であり、ｉ＝１、２、３、４、……、Ｎである。
【００３２】
なお、本願の実施例において該Ｎ個の上りリソースが免許不要キャリアに位置しても良い。
【００３３】
なお、本願の実施例において下りリソースが下りデータを搬送するために使用され、例えば、該下りリソースがデータ的物理下り共有チャネル(Ｐｈｙｓｉｃａｌ Ｄｏｗｎｌｉｎｋ Ｓｈａｒｅｄ Ｃｈａｎｎｅｌ、ＰＤＳＣＨ) 及び／又は物理下り制御チャネル（Ｐｈｙｓｉｃａｌ Ｄｏｗｎｌｉｎｋ Ｃｏｎｔｒｏｌ Ｃｈａｎｎｅｌ、ＰＤＣＣＨ）を搬送するために使用され、それに対応する上りフィードバック情報は、フィードバック応答情報、即ち、確認(ａｃｋｎｏｗｌｅｄｇｅ、ＡＣＫ)情報又は否定確認(ｎｏｎ−ａｃｋｎｏｗｌｅｄｇｅ、ＮＡＣＫ)情報であってもよい。
【００３４】
具体的に、該Ｎセットの下りリソースが時間の順番で並べ、即ち、ｉ番目のセットの下りリソースの終了時刻がｉ＋１番目のセットの下りリソースの終了時刻よりも早く、さらに、該ｉ番目のセットの下りリソースの開始時刻がｉ＋１番目のセットの下りリソースの開始時刻よりも早く、又は同じである。
【００３５】
また、ｉの値が１よりも大きい値である場合、該Ｎセットの下りリソースのうちの該ｉ番目のセットの下りリソースがｉ−１番目のセットの下りリソースの一部又は全部を含み、該Ｎセットの下りリソースの分け方式は、隣接する２つのセットの下りリソースの間に部分的な重なりが存在することを満たす。
【００３６】
本願の実施例において、Ｎ個の上りリソースは、同一のチャネル占用時間（Ｃｈａｎｎｅｌ Ｏｃｃｕｐａｔｉｏｎ Ｔｉｍｅ、ＣＯＴ）内に位置し、又は、複数のＣＯＴ内に位置し、Ｎセットの下りリソースは、同一のＣＯＴ内に位置し、又は、複数のＣＯＴ内に位置し、本願の実施例がこれに限定されない。
【００３７】
本願の実施例において、該Ｎセットの下りリソースの終了時刻が該Ｎ個の上りリソースの開始時刻の前に位置しても良く、即ち、該Ｎセットの下りリソースとＮセットの上りリソースとが時間領域に重複されない。又は、該Ｎセットの下りリソースとＮセットの上りリソースとが時間領域に一部に重複され、この場合、該ｉ番目のセットの下りリソースの終了時刻が該ｉ番目の上りリソースの開始時刻の前に位置することを満たしている必要がある。
【００３８】
本願の実施例によるＮ個の上りリソースとＮセットの下りリソースとの関係を示す図３を参照して詳細に説明し、図３が本願の実施例における上りリソース及び下りリソースを示す模式図である。図３に示すように、ここでは、３つのセットの下りリソース及び該３つのセットの下りリソースに対応する３つの上りリソースを例として説明し、ここで、図のｔ０時刻〜ｔ１時刻は、１つの下りリソースである第１のセットの下りリソースに対応し、ｔ０時刻〜ｔ２時刻は、１つの下りリソースである第２のセットの下りリソースに対応し、ｔ０時刻〜ｔ３時刻は、１つの下りリソースである第３のセットの下りリソースに対応し、対応するＰＵＣＣＨ１は、第１のセットの下りリソースに対応する第１番目の上りリソースであり、ＰＵＣＣＨ２は、第２のセットの下りリソースに対応する２番目の上りリソースであり、ＰＵＣＣＨ３は、第３のセットの下りリソースに対応する３番目の上りリソースである。
【００３９】
図３において、よく理解するために、ここの最後のセットの下りリソースは、直前のセットの下りリソースの全てのリソースを含み、例えば、２番目のセットの下りリソースは、１番目のセットの下りリソースの全部を含む。任意選択で、最後のセットの下りリソースは、直前のセットの下りリソースの一部のリソースを含んでもよく、本願の実施例はこれに限定されない。
【００４０】
また、図３の３つの上りリソースと３セットの下りリソースとが時間領域において重複されなく、任意選択で、上りリソースと下りリソースとは時間領域に重複されても良く、ｉ番目のセットの下りリソースの終了時刻が該ｉ番目の上りリソースの開始時刻の前に位置することを満たしている必要がり、具体的に、該ｉ番目のセットの下りリソースの終了時刻とｉ番目の上りリソースの開始時刻との時間差が処理遅延以上であり、該処理遅延は、該ｉ番目のセットの下りリソースを処理するために使用される時間に基づいて決定される。
【００４１】
例えば、図３に示すように、２番目のセットの下りリソース及び対応する２番目の上りリソースＰＵＣＣＨ ２を例とし、２番目のセットの下りリソースの終了時刻がｔ２であり、ＰＵＣＣＨ ２の開始時刻とｔ２との時間差がＴ２であり、該Ｔ２がＴ２≧Ｎ２を満たし、該Ｎ２が処理遅延を示し、該処理遅延が２番目のセットの下りリソースにおけるデータを処理するために使用される時間に関連し、２番目のセットの下りリソースにおけるデータを処理するために使用される時間に基づいて決定されても良い。
【００４２】
なお、本願の実施例においてｉ番目のセットの下りリソースに関連する処理遅延は、該ｉ番目のセットの下りリソースを占用して伝送するＰＤＳＣＨ復号時間、該ＰＤＳＣＨにおける復調参照信号（ｄｅｍｏｄｕｌａｔｉｏｎ ｒｅｆｅｒｅｎｃｅ ｓｉｇｎａｌ、ＤＭＲＳ）構成、該ｉ番目のセットの上りフィードバック情報を搬送する物理チャネル及びＰＤＳＣＨのリソースマッピング方式のうちの少なくとも１つのパラメータに基づいて決定しても良く、ここで、該ｉ番目のセットの上りフィードバック情報を搬送する物理チャネルは、物理上り共有チャネル（Ｐｈｙｓｉｃａｌ Ｕｐｌｉｎｋ Ｓｈａｒｅｄ Ｃｈａｎｎｅｌ、ＰＵＳＣＨ）又は物理上り制御チャネル（Ｐｈｙｓｉｃａｌ Ｕｐｌｉｎｋ Ｃｏｎｔｒｏｌ Ｃｈａｎｎｅｌ、ＰＵＣＣＨ）、ＰＤＳＣＨにおけるＤＭＲＳの構成であっても良い。
【００４３】
本願の実施例において、端末デバイスが決定したＮ個の上りリソースは、時間領域に連続するものであっても良い。具体的に、該Ｎ個の上りリソースが時間領域に連続することは、該Ｎ個の上りリソースにおけるｉ番目の上りリソースとｉ＋１番目の上りリソースとが時間領域においてに絶対的に連続し、又は、相対的に連続したことを含み、ここで、該絶対的に連続は、ｉ番目の上りリソースの終了時刻とｉ＋１番目の上りリソースの開始時刻との間に時間間隔がないことを指し、相対的に連続は、ｉ番目の上りリソースの終了時刻とｉ＋１番目の上りリソースの開始時刻との間に時間間隔を有するが、該時間間隔は、主に、ＬＢＴ検出等に使用され、該時間間隔において他の上りデータを伝送されない。
【００４４】
本願の実施例において、端末デバイスＮ個の上りリソースを決定することとは、端末デバイスがｉ番目の上りリソースの開始時刻及び／又は終了時刻を決定することを含む。具体的に、端末デバイスは以下の少なくとも１つに基づいて、該ｉ番目の上りリソースの開始時刻及び／又は終了時刻を決定し、１、該ネットワークデバイスにより送信された第１の構成情報を受信し、該第１の構成情報が該ｉ番目の上りリソースの開始時刻及び／又は終了時刻を示し、２、該Ｎセットの下りリソースの終了位置に基づいて、該ｉ番目の上りリソースの開始時刻を決定し、３、該ｉ番目のセットの下りリソースの終了位置に基づいて、該ｉ番目の上りリソースの開始時刻を決定し、４、該ｉ−１番目の上りリソースの位置に基づいて、該ｉ番目の上りリソースの開始時刻を決定し、ここで、ｉが１よりも大きく、５、該ｉ番目の上りリソースの持続時間に基づいて、該ｉ番目の上りリソースの終了時刻を決定し、ここで、該ｉ番目の上りリソースの持続時間は、プロトコルにより約定され又は該ネットワークデバイスにより構成される。
【００４５】
上記の第１の方法として、端末デバイスが該ネットワークデバイスにより送信された第１の構成情報を受信し、該第１の構成情報が該ｉ番目の上りリソースの開始時刻及び／又は終了時刻を示し、これにより、端末デバイスが該第１の構成情報に基づいて、ｉ番目の上りリソースの開始時刻及び／又は終了時刻を決定する。例えば、該第１の構成情報にはＮ個の上りリソースの各上りリソースの開始時刻及び／又は終了時刻が含まれ、また、例えば、各上りリソースの長さが予め設定された場合、例えば、プロトコルにより規則され、この場合、第１の構成情報が開始時刻のみを含み、各上りリソースの長さに基づいて、各上りリソースの終了時刻を対応して決定し、本願の実施例がこれに限定されない。
【００４６】
上記の第２の方法として、端末デバイスは、該Ｎセットの下りリソースの終了位置に基づいて、該ｉ番目の上りリソースの開始時刻を決定することができる。例えば、端末デバイスは、Ｎセットの下りリソースの終了時刻を決定し、予め設定された規則に従って、例えば、予め設定された時間領域長さに従って、又は、Ｎ個の上りリソースの長さに基づいて、該Ｎセットの下りリソース終了時刻の後の予め設定された時間領域長さから開始し、各上りリソースの開始時刻を順に決定する。
【００４７】
上記の第３の方法として、端末デバイスは、さらに、該ｉ番目のセットの下りリソースの終了位置に基づいて、該ｉ番目の上りリソースの開始時刻を決定することができる。具体的に、端末デバイスは、ｉ番目のセットの下りリソース終了位置、つまり該終了時刻から、その後のｉ番目の上りリソースの開始時刻を決定する。例えば、該ｉ番目のセットの下りリソースの終了位置と該ｉ番目の上りリソースの開始時刻との時間差は、上記の処理遅延に関連し、ここで説明を省略する。
【００４８】
上記の第４の方法として、端末デバイスは、該ｉ−１番目の上りリソースの位置に基づいて、該ｉ番目の上りリソースの開始時刻を決定し、ここで、ｉが１よりも大きく、例えば、端末デバイスが決定したＮ個の上りリソースが連続する場合、端末デバイスは、ｉ−１番目の上りリソースの終了時刻に基づいて、該ｉ番目の上りリソースの開始時刻を決定し、二者の時間間隔が固定値であり、又は、端末デバイスは、ｉ−１番目の上りリソースの開始時刻及び該ｉ−１番目の上りリソースの持続時間に基づいて、ｉ−１番目の上りリソースの終了時刻を決定し、さらに、該ｉ番目の上りリソースの開始時刻を決定する。
【００４９】
第５の方法として、端末デバイスは、さらに、該ｉ番目の上りリソースの持続時間に基づいて、該ｉ番目の上りリソースの終了時刻を決定する。具体的に、端末デバイスがｉ番目の上りリソースの開始時刻を決定し、ｉ番目の上りリソースの持続時間に基づいて、該ｉ番目の上りリソースの終了時刻を決定し、ここで、該ｉ番目の上りリソースの持続時間は、プロトコルにより約定され、又は、該ネットワークデバイスにより構成される。
【００５０】
本願の実施例において、該方法２００は、さらに、端末デバイスがｉ番目の上りリソースに対応する該ｉ番目のセットの下りリソースのパラメータを決定することを含み、該ｉ番目のセットの下りリソースのパラメータは、該ｉ番目のセットの下りリソースの開始時刻、該ｉ番目のセットの下りリソースの終了時刻及び該ｉ番目のセットの下りリソースの持続時間のうちの少なくとも１つのパラメータを含む。
【００５１】
任意選択で、一実施例として、端末デバイスが該ｉ番目のセットの下りリソースのパラメータを決定することは、端末デバイスが該ネットワークデバイスにより送信された第２の構成情報を受信することを含み、該第２の構成情報は、該ｉ番目のセットの下りリソースの開始時刻、該ｉ番目のセットの下りリソースの終了時刻、該ｉ番目のセットの下りリソースの持続時間及び該ｉ番目のセットの上りフィードバック情報の長さのうちの少なくとも１つのパラメータを含み、該第２の構成情報に基づいて、該ｉ番目のセットの下りリソースのパラメータを決定することを含む。具体的に、該第２の構成情報が上記のパラメータの一部のパラメータを含み、さらに、この一部のパラメータに基づいて他のパラメータを決定する。例えば、該第２の構成情報が該ｉ番目のセットの上りフィードバック情報の長さを含む場合、端末デバイスが該ｉ番目のセットの上りフィードバック情報の長さに基づいて、該ｉ番目のセットの下りリソースの持続時間を決定することができる。さらに、該ｉ番目のセットの下りリソースの持続時間に基づいて、ｉ番目のセットの下りリソースの開始時刻を合わせて、ｉ番目のセットの下りリソースの終了時刻を決定する。
【００５２】
任意選択で、一実施例として、端末デバイスが該ｉ番目のセットの下りリソースのパラメータを決定することは、さらに、端末デバイスが該ｉ番目の上りリソースの開始時刻に基づいて、該ｉ番目のセットの下りリソースの終了時刻を決定することを含む。端末デバイスがｉ番目の上りリソースに対応するｉ番目のセットの上りフィードバックデータを送信する時に、該端末デバイスがＮセットの下りリソースの全てのデータを取得せず、例えば、全てのデータを処理しない可能性があり、端末デバイスがｉ番目の上りリソースの開始時刻に基づいて、該時刻で処理完了されたデータの部分を決定し、対応するｉ番目のセットの下りリソースの終了時刻を決定する。図３を例とし、２番目の上りデータＰＵＣＣＨ ２の開始時刻に基づいて、該時刻で、端末デバイスがｔ０時刻〜ｔ３時刻で受信された全てのデータの処理をまだ完了しない可能性があり、ｔ０時刻〜ｔ２で受信されたデータの処理を完了し、この場合、ＰＵＣＣＨ ２の開始時刻、及びデータの処理時間Ｔ２に基づいて、２番目のセットの下りリソースの終了時刻をｔ２時刻として決定することができる。
【００５３】
任意選択で、一実施例として、端末デバイスが該ｉ番目のセットの下りリソースのパラメータを決定することは、さらに、端末デバイスが該ｉ番目の上りリソースの開始時刻及び該ｉ番目のセットの下りリソース持続時間に基づいて、該ｉ番目のセットの下りリソースの開始時刻を決定することを含む。又は、端末デバイスがｉ番目の上りリソースの開始時刻に基づいて、該ｉ番目のセットの下りリソースの終了時刻を決定し、次に、ｉ番目のセットの下りリソース持続時間に基づいて、該ｉ番目のセットの下りリソースの開始時刻を決定する。
【００５４】
任意選択で、一実施例として、端末デバイスが該ｉ番目のセットの下りリソースのパラメータを決定することは、さらに、端末デバイスが該Ｎセットの下りデータが位置するＣＯＴの時間位置に基づいて、該ｉ番目のセットの下りリソースの開始時刻及び／又は終了時刻を決定する。具体的に、図３を例とし、該Ｎセットの下りリソースの開始時刻が同じである場合、位置するＣＯＴの開始時刻に基づいて、各セットの下りリソースの開始時刻を決定し、例えば、ＣＯＴの開始時刻を該Ｎセットの下りリソースの開始時刻とする。
【００５５】
また、例えば、該Ｎセットの下りリソースの開始時刻が異なっても良く、該Ｎセットの下りリソースが位置するＣＯＴの位置に基づいて、例えば、ＣＯＴの開始時刻に基づいて、Ｎセットの下りリソースの各セットの下りリソースの開始時刻を順次に決定し、例えば、各セットの下りリソースが位置するＣＯＴの開始時刻に対する時間間隔を決定し、次に、ＣＯＴの開始時刻に基づいて、Ｎセットの下りリソースの各セットの下りリソースの開始時刻を順次に決定することができる。
【００５６】
同様、各セットの下りリソースの終了時刻について、位置するＣＯＴの位置、例えば、ＣＯＴの開始時刻又は終了時刻に基づいて、Ｎセットの下りリソースの各セットの下りリソースの終了時刻を順次に決定し、本願の実施例がこれに限定されない。
【００５７】
なお、上記の記載の以外に、以下、ｉ番目のセットの下りリソースの開始時刻を決定することを例として説明し、ｉ番目のセットの下りリソースの終了時刻の決定も同様に適用される。
【００５８】
任意選択で、一実施例として、端末デバイスが該ｉ番目のセットの下りリソースの開始時刻を決定することは、第１のＣＯＴの開始時刻を該ｉ番目のセットの下りリソースの開始時刻として決定し、該第１のＣＯＴがＮセットの下りリソースが位置するＣＯＴである。具体的に、該Ｎセットの下りリソースが同一のＣＯＴ内に位置し、ここで、この同一のＣＯＴを第１のＣＯＴと言い、さらに、該第１のＣＯＴにおいて、各セットの下りリソースの開始時刻のいずれも該第１のＣＯＴの開始時刻に設定されても良く、例えば、図３に示すように、ｔ０が第１のＣＯＴの開始時刻である。
【００５９】
任意選択で、一実施例として、端末デバイスが該ｉ番目のセットの下りリソースの開始時刻を決定することは、さらに、第１のＣＯＴの開始時刻と第１のオフセット値との和に対応する時刻を前記ｉ番目のセットの下りリソースの開始時刻として決定し、該Ｎセットの下りリソースにおける各セットの下りリソースが１つの第１のオフセット値に対応することを含む。具体的に、Ｎセットの下りリソースが同一のＣＯＴ内に位置し、又は、該Ｎセットの下りリソースにおいて同一のＣＯＴに位置する複数のセットの下りリソースが存在し、ここで、この同一のＣＯＴを第１のＣＯＴと言い、該第１のＣＯＴ内の位置する複数のセットの下りリソースの各セットの下りリソースの開始時刻が異なり、各セットの下りリソースが１つの第１のオフセット値に対応し、そのｉ番目のセットの下りリソースを例とし、ｉ番目のセットの下りリソースに対応する第１のオフセット値は、該ｉ番目のセットの下りリソースの開始時刻と位置する第１のＣＯＴの開始時刻との時間差を示し、即ち、第１のＣＯＴの開始時刻から、後ろに第１のオフセット値に対応する時刻を経過したものは、ｉ番目のセットの下りリソースの開始時刻である。
【００６０】
任意選択で、一実施例として、端末デバイスが該ｉ番目のセットの下りリソースの開始時刻を決定することは、さらに、第１のＣＯＴの終了時刻と第２のオフセット値との差に対応する時刻を該ｉ番目のセットの下りリソースの開始時刻として決定する。具体的に、該Ｎセットの下りリソースが同一のＣＯＴに位置しない可能性があり、例えば、該Ｎセットの下りリソースが第１のＣＯＴ及び該第１のＣＯＴの後の少なくとも１つのＣＯＴに属し、この場合、該Ｎセットの下りリソースにおけるｉ番目のセットの下りリソースに対応し、該ｉ番目のセットの下りリソースが少なくとも２つＣＯＴに位置し、その開始時刻は、第１のＣＯＴの終了時刻の前の第２のオフセット値に対応する時刻に位置する。図４を例とし、ＣＯＴ ２における上りリソースがＰＵＣＣＨを搬送し、その下りリソースが２つのＣＯＴに位置し、即ち、ＣＯＴ １及びＣＯＴ ２の内の下り（Ｄｏｗｎｌｉｎｋ、ＤＬ）に対応する部分に位置し、ここで、ＣＯＴ１内の上り（Ｕｐｌｉｎｋ、ＵＬ）部分が該端末デバイスのＮ個の上りリソースでない場合、該ＰＵＣＣＨの開始時刻がＣＯＴ １の終了時刻よりもＴ時間早く、即ち、ＣＯＴ １の終了時刻から前にＴ時間を計算して対応する時刻は、該ＰＵＣＣＨの開始時刻であり、該Ｔが第２のオフセット値である。
【００６１】
任意選択で、一実施例として、端末デバイスが該ｉ番目のセットの下りリソースの開始時刻を決定することは、さらに、第１のＣＯＴの終了時刻と第２のオフセット値との差に対応する時刻を目標時刻として決定し、該目標時刻と第１のオフセット値との和に対応する時刻を該ｉ番目のセットの下りリソースの開始時刻として決定し、該Ｎセットの下りリソースにおける各セットの下りリソースが１つの第１のオフセット値に対応する。具体的に、上記の実施例の上で、第１のＣＯＴの終了時刻と第２のオフセット値との差に対応する時刻を目標時刻として決定し、該目標時刻をｉ番目のセットの下りリソースの開始時刻として直接に決定し、又は、各セットの下りリソースの開始時刻を該目標時刻として決定し、又は、該目標時刻を決定した後、各セットの下りリソースが１つの第１のオフセット値に対応し、例えば、該ｉ番目のセットの下りリソースに対応する第１のオフセット値を例とし、該目標時間の後の第１のオフセット値に対応する時刻を、該ｉ番目のセットの下りリソースの開始時刻として決定する。
【００６２】
なお、本願の実施例において、該第２のオフセット値がプロトコルにより規則され、又は、該ネットワークデバイスにより構成され、又は、該ｉ番目のセットの下りリソースのデータの処理遅延に基づいて決定され、本願の実施例がこれに限定されない。
【００６３】
なお、本願の実施例において第２のオフセット値がプロトコルにより規則され、又は、該ネットワークデバイスにより構成される。Ｎセットの下りリソースの各セットの下りリソースに対応する第１のオフセット値は、同じであっても良いし、一部が同じであっても良いし、全く異なっても良く、本願の実施例がこれに限定されない。
【００６４】
Ｓ２２０において、端末デバイス該Ｎ個の上りリソースからＭ個の利用可能な上りリソースを決定し、ＭがＮ以下の正の整数である。具体的に、端末デバイスがＮ個の上りリソースを決定するが、該Ｎ個の上りリソースが利用不可である可能性があり、端末デバイスは、該Ｎ個の上りリソースからＭ個の利用可能な上りリソースを決定し、これにより、Ｓ２３０において、端末デバイス該Ｍ個の利用可能な上りリソースを利用して、該Ｍ個の利用可能な上りリソースに対応するＭセットの上りフィードバック情報を該ネットワークデバイスに送信する。
【００６５】
任意選択で、端末デバイスが該Ｎ個の上りリソースからＭ個の利用可能な上りリソースを決定することは、ＬＢＴ検出を利用して、該Ｎ個の上りリソースから該Ｍ個の利用可能な上りリソースを決定することを含む。例えば、図５を例とし、図５の８つのブロックは、端末デバイスが決定した上りリソースであり、端末デバイスは、ＬＢＴ検出を利用して、該上りリソースから利用可能な上りリソースを決定し、例えば、図５の５つの斜線ブロックは、該上りリソースが利用不可であることを示し、他の３つのブロックがＬＢＴ検出が合格し、利用可能な上りリソースであることを示す。ここで、該Ｍセットの利用可能な上りリソースが異なるリソースであり、例えば、該Ｍセットの利用可能な上りリソースは、時間領域及び／又は周波数領域が異なるリソースである。
【００６６】
任意選択で、端末デバイス該Ｎ個の上りリソースからＭ個の利用可能な上りリソースを決定することは、該Ｎ個の上りリソースとその前の下りリソースが同一のチャネル占用時間ＣＯＴに位置し、その前の下りリソースとの時間差が閾値以下である場合、該Ｎ個の上りリソースを利用可能な上りリソースとして決定し、即ち、Ｎ＝Ｍである。
【００６７】
任意選択で、上記の２つの方法を合わせて使用する場合、端末デバイス該Ｎ個の上りリソースからＭ個の利用可能な上りリソースを決定することは、該Ｎ個の上りリソースがＮ１個の第１の上りリソース及びＮ２個の第２の上りリソースを含み、該Ｎ１個の第１の上りリソースと該Ｎ２個の第２の上りリソースとが異なるＣＯＴに位置することを含み、例えば、該Ｎ１個の第１の上りリソースが位置するＣＯＴが、Ｎ２個の第２の上りリソースが位置するＣＯＴの前に位置する。ここで、該Ｎ１個の第１の上りリソースとその前の下りリソースが同一のＣＯＴに位置し、その前の下りリソースとの時間差が閾値以下であり、該Ｍ個の利用可能な上りリソースが該Ｎ１個の第１の上りリソースを含むと決定し、また、Ｎ２個の第２の上りリソースに対して、ＬＢＴ検出を利用して、利用可能な上りリソースを決定し、Ｎ２個の第２の上りリソースのうちのＬＢＴ検出て決定された上りリソースを利用可能な上りリソースとして決定し、該利用可能な上りリソースも該Ｍ個の利用可能な上りリソースに属する。
【００６８】
なお、上記の閾値は、予め設定された値であっても良く、時間応用に応じて設定されても良いし、プロトコルにより規定されても良く、例えば、通常、その値が１６ｕｓである。
【００６９】
本願の実施例において、該該Ｎ個の上りリソースからＭ個の利用可能な上りリソースを決定することは、さらに、Ｎ個の上りリソースのうちの該ｉ番目の上りリソースが利用可能であると決定する場合、該Ｍ個の上りリソースを該ｉ番目の上りリソース及び該ｉ番目の上りリソースの後の全ての上りリソースとして決定する。
【００７０】
本願の実施例において、端末デバイスは、Ｎセットの下りリソースの全てのリソースを受信しない場合、ネットワークデバイスに上りフィードバック情報を送信しなくても良い。該Ｎセットの下りリソースにおいて少なくとも１つの下りデータを受信した場合、端末デバイスは、ネットワークデバイスに上りフィードバック情報を送信する必要がある。端末デバイスは、Ｎセットの下りリソースのうちのｉ番目のセットの下りリソースにおいて下りデータを受信しない場合、対応する該ｉ番目のセットの上りフィードバック情報の全部をＮＡＣＫ情報として決定し、このように、他の端末デバイスがチャネルを占用することを回避することができる。
【００７１】
そして、本願の実施例における情報伝送方法によれば、端末デバイスがＮ個の上りリソースを決定し、該Ｎ個の上りリソースにおいてＮセットの上りフィードバック情報を送信し、該Ｎセットの上りフィードバック情報を介してＮセットの下りリソースのデータ伝送状況をフィードバックし、ここで、該Ｎセットの下りリソースにおけるｉ番目のセットの下りリソースがｉ−１番目のセットの下りリソースの一部または全部を含み、Ｎ個の上りリソースから利用可能な上りリソースを決定し、例えば、ＬＢＴ検出方式で利用可能な上りリソースを決定して、該上りリソースを利用してネットワークデバイスに対応する上りフィードバック情報を送信し、このように、端末デバイスがチャネルを占用する確率を増大させ、データ伝送の信頼性を向上させることができる。
【００７２】
以上、図１〜図５を参照して、端末デバイスから本願の一実施例に係る情報伝送方法について詳細に説明したが、図６を参照して、ネットワークデバイスから本願の一実施例に係る情報伝送方法について説明する。
【００７３】
図６は本願の実施例における情報伝送方法３００のフローチャートを示し、該方法３００がネットワークデバイスにより実行され、具体的に、例えば、図１に示すネットワークデバイスである。図２に示すように、該方法３００がＳ３１０を含み、Ｓ３１０において、Ｍ個の利用可能な上りリソースで端末デバイスにより送信された該Ｍ個の利用可能な上りリソースに対応するＭセットの上りフィードバック情報を受信し、該Ｍ個の利用可能な上りリソースは、該端末デバイスがＮ個の上りリソースにおいて決定され、該Ｎ個の上りリソースがＮセットの上りフィードバック情報を搬送するために使用され、該Ｎセットの上りフィードバック情報がＮセットの下りリソース内のデータ伝送状況をフィードバックするために使用され、ここで、該Ｎセットの上りフィードバック情報が該Ｍセットの上りフィードバック情報を含み、ｉ番目の上りリソースに対応するｉ番目のセットの上りフィードバック情報がｉ番目のセットの下りリソース内のデータ伝送状況をフィードバックするために使用され、ｉが１よりも大きい場合に該ｉ番目のセットの下りリソースがｉ−１番目のセットの下りリソースの全部又は一部を含み、Ｎが１よりも大きい正の整数であり、ｉ＝１、２、３、４、……、Ｎであり、ＭがＮ以下の正の整数である。
【００７４】
任意選択で、一実施例として、該Ｎセットの下りリソースの終了時刻が該Ｎ個の上りリソースの開始時刻の前に位置し、又は、該ｉ番目のセットの下りリソースの終了時刻が該ｉ番目の上りリソースの開始時刻の前に位置する。
【００７５】
任意選択で、一実施例として、該ｉ番目のセットの下りリソースの終了時刻とｉ番目の上りリソースの開始時刻との時間差が処理遅延以上であり、該処理遅延は、該端末デバイスが該ｉ番目のセットの下りリソースのデータを処理するために使用される時間に基づいて決定される。
【００７６】
任意選択で、一実施例として、該処理遅延は、該端末デバイスが該ｉ番目のセットの下りリソースを占用して伝送する物理下り共有チャネルＰＤＳＣＨの復号時間、該ＰＤＳＣＨにおけるＤＭＲＳ構成及び該ｉ番目のセットの上りフィードバック情報を搬送する物理チャネルのうちの少なくとも１つに基づいて決定される。
【００７７】
任意選択で、一実施例として、該方法３００は、さらに、以下の少なくとも１つに基づいて、該ｉ番目の上りリソースの開始時刻及び／又は終了時刻を決定し、１、該Ｎセットの下りリソースの終了位置に基づいて、該ｉ番目の上りリソースの開始時刻を決定し、２、該ｉ番目のセットの下りリソースの終了位置に基づいて、該ｉ番目の上りリソースの開始時刻を決定し、３、該ｉ−１番目の上りリソースの位置に基づいて、該ｉ番目の上りリソースの開始時刻を決定し、ここで、ｉが１よりも大きく、４、該ｉ番目の上りリソースの持続時間に基づいて、該ｉ番目の上りリソースの終了時刻を決定する。
【００７８】
任意選択で、一実施例として、該方法３００は、さらに、該端末デバイスに第１の構成情報を送信することを含み、該第１の構成情報が該ｉ番目の上りリソースの開始時刻及び／又は終了時刻を示す。
【００７９】
任意選択で、一実施例として、該方法３００は、さらに、該ｉ番目のセットの下りリソースのパラメータを決定することを含み、該ｉ番目のセットの下りリソースのパラメータは、該ｉ番目のセットの下りリソースの開始時刻、該ｉ番目のセットの下りリソースの終了時刻及び該ｉ番目のセットの下りリソースの持続時間のうちの少なくとも１つを含む。
【００８０】
任意選択で、一実施例として、該ｉ番目のセットの下りリソースのパラメータを決定することは、該ｉ番目の上りリソースの開始時刻に基づいて、該ｉ番目のセットの下りリソースの終了時刻を決定し、又は、該ｉ番目の上りリソースの開始時刻及び該ｉ番目のセットの下りリソース持続時間に基づいて、該ｉ番目のセットの下りリソースの開始時刻を決定し、又は、該Ｎセットの下りデータが位置するＣＯＴの時間位置に基づいて、該ｉ番目のセットの下りリソースの開始時刻及び／又は終了時刻を決定することを含む。
【００８１】
任意選択で、一実施例として、該方法３００は、さらに、該端末デバイスに第２の構成情報を送信することを含み、該第２の構成情報は、該ｉ番目のセットの下りリソースの開始時刻、該ｉ番目のセットの下りリソースの終了時刻、該ｉ番目のセットの下りリソースの持続時間及び該ｉ番目のセットの上りフィードバック情報の長さのうちの少なくとも１つを含み、該第２の構成情報に基づいて、該ｉ番目のセットの下りリソースのパラメータを決定することを含む。
【００８２】
任意選択で、一実施例として、該ｉ番目のセットの下りリソースの開始時刻を決定することは、第１のＣＯＴの開始時刻を該ｉ番目のセットの下りリソースの開始時刻として決定し、又は、第１のＣＯＴの開始時刻と第１のオフセット値との和に対応する時刻を該ｉ番目のセットの下りリソースの開始時刻として決定し、該Ｎセットの下りリソースにおける各セットの下りリソースが１つの第１のオフセット値に対応し、又は、第１のＣＯＴの終了時刻と第２のオフセット値との差に対応する時刻を該ｉ番目のセットの下りリソースの開始時刻として決定し、該Ｎセットの下りリソースが該第１のＣＯＴと該第１のＣＯＴの後の少なくとも１つのＣＯＴに属し、又は、第１のＣＯＴの終了時刻と第２のオフセット値との差に対応する時刻を目標時刻として決定し、該目標時刻と第１のオフセット値との和に対応する時刻を該ｉ番目のセットの下りリソースの開始時刻として決定し、該Ｎセットの下りリソースにおける各セットの下りリソースが１つの第１のオフセット値に対応することを含む。
【００８３】
任意選択で、一実施例として、該第２のオフセット値は、該ネットワークデバイスにより構成され、又は、該ｉ番目のセットの下りリソースのデータの処理遅延により決定される。
【００８４】
任意選択で、一実施例として、該ｉ番目のセットの下りリソースの持続時間を決定することは、該ｉ番目のセットの上りフィードバック情報の長さに基づいて、該ｉ番目のセットの下りリソースの持続時間を決定することを含む。
【００８５】
任意選択で、一実施例として、該Ｎ個の上りリソースは、時間領域に連続する。
【００８６】
任意選択で、一実施例として、該ｉ番目の上りリソースが利用可能な上りリソースである場合、該ｉ番目の上りリソース及び該ｉ番目の上りリソースの後の全ての上りリソースが該Ｍ個の利用可能な上りリソースである。
【００８７】
任意選択で、一実施例として、該Ｎ個の上りリソースが免許不要キャリアに位置する。
【００８８】
なお、本願の実施例における方法３００が方法２００に対応し、該方法３００におけるネットワークデバイスが方法２００におけるネットワークデバイスに対応し、該方法３００における端末デバイスが方法２００における端末デバイスに対応する。さらに、該方法３００におけるネットワークデバイスがＮ個の上りリソース、Ｎセットの下りリソース及びＮセットの上りフィードバックデータを決定することが方法２００の端末デバイスに対応し、例えば、方法３００におけるネットワークデバイスが方法２００における端末デバイスと同様にＮ個の上りリソースの位置及びＮセットの下りリソースの位置を決定し、ここで説明を省略する。
【００８９】
そして、本願の実施例に係る情報伝送方法によれば、端末デバイスがＮ個の上りリソースを決定し、該Ｎ個の上りリソースにおいてＮセットの上りフィードバック情報を送信し、該Ｎセットの上りフィードバック情報を介してＮセットの下りリソースのデータ伝送状況をフィードバックし、これにより、ネットワークデバイスは、受信した上りフィードバック情報に基づいて、対応する下りデータの伝送状況を決定する。ここで、該Ｎセットの下りリソースにおけるｉ番目のセットの下りリソースは、ｉ−１番目のセットの下りリソースの一部又は全部を含み、次に、Ｎ個の上りリソースから利用可能な上りリソースを決定し、例えば、ＬＢＴ検出を利用して、利用可能な上りリソースを決定し、該上りリソースでネットワークデバイスに対応する上りフィードバック情報を送信し、このように、端末デバイスがチャネルを占用する確率を増大させ、データ伝送の信頼性を向上させることができる。
【００９０】
本願の様々な実施例において、上記のプロセスの番号の大きさは、実行順序の先後を意味するものではなく、プロセスの実行順序は、その機能的および内因性の論理的に決定されるべきであり、本願の実施例の実施プロセスを限定するものではないことを理解されたい。
【００９１】
また、ここで言う「及び/又は」とは、単に関連する対象を記述した関連関係であって、Ａ及び/又はＢのように３つの関係があり得ることを意味し、Ａ単独、ＡとＢの両方、Ｂ単独の３つの場合があることを意味する。また、本文中の「/」は、前後関係オブジェクトが「または」の関係であることを一般的に示す。
【００９２】
以上、図１〜図６を参照して、本願の一実施例による情報伝送方法について詳細に説明したが、以下、図７〜図１１を参照して、本願の一実施例による端末デバイス及びネットワークデバイスについて説明する。
【００９３】
図７に示すように、本願の実施例における端末デバイス４００は、処理ユニット４１０及び送受信ユニット４２０を含む。具体的に、該処理ユニット４１０は、Ｎ個の上りリソースを決定するように構成され、該Ｎ個の上りリソースがＮセットの上りフィードバック情報を搬送するために使用され、該Ｎセットの上りフィードバック情報がＮセットの下りリソース内のデータ伝送状況をフィードバックするために使用され、ここで、ｉ番目の上りリソースに対応するｉ番目のセットの上りフィードバック情報がｉ番目のセットの下りリソース内のデータ伝送状況をフィードバックするために使用され、ｉが１よりも大きい場合に該ｉ番目のセットの下りリソースがｉ−１番目のセットの下りリソースの全部又は一部を含み、Ｎが１よりも大きい正の整数であり、ｉ＝１、２、３、４、……、Ｎであり、該処理ユニット４１０は、さらに、該Ｎ個の上りリソースからＭ個の利用可能な上りリソースを決定するように構成され、ＭがＮ以下の正の整数であり、該送受信ユニット４２０は、該Ｍ個の利用可能な上りリソースを利用して、該Ｍ個の利用可能な上りリソースに対応するＭセットの上りフィードバック情報を該ネットワークデバイスに送信するように構成される。
【００９４】
任意選択で、一実施例として、該Ｎセットの下りリソースの終了時刻が該Ｎ個の上りリソースの開始時刻の前に位置し、又は、該ｉ番目のセットの下りリソースの終了時刻が該ｉ番目の上りリソースの開始時刻の前に位置する。
【００９５】
任意選択で、一実施例として、該ｉ番目のセットの下りリソースの終了時刻とｉ番目の上りリソースの開始時刻との時間差が処理遅延以上であり、該処理遅延は、該ｉ番目のセットの下りリソースのデータを処理するために使用される時間に基づいて決定される。
【００９６】
任意選択で、一実施例として、該処理遅延は、該ｉ番目のセットの下りリソースを占用して伝送する物理下り共有チャネルＰＤＳＣＨの復号時間、該ＰＤＳＣＨにおけるＤＭＲＳ構成及び該ｉ番目のセットの上りフィードバック情報を搬送する物理チャネルのうちの少なくとも１つに基づいて決定される。
【００９７】
任意選択で、一実施例として、該処理ユニット４１０は、さらに、ＬＢＴ検出を利用して、該Ｎ個の上りリソースから該Ｍ個の利用可能な上りリソースを決定し、又は、該Ｎ個の上りリソースとその前の下りリソースとが同一のチャネル占用時間ＣＯＴに位置し、その前の下りリソースとの時間差が閾値以下である場合、該Ｎ個の上りリソースを該Ｍ個の利用可能な上りリソースとして決定し、Ｎ＝Ｍであり、又は、該Ｎ個の上りリソースがＮ１個の第１の上りリソース及びＮ２個の第２の上りリソースを含み、ここで、該Ｎ１個の第１の上りリソースとその前の下りリソースとが同一のＣＯＴに位置し、その前の下りリソースとの時間差が閾値以下である場合、該Ｍ個の利用可能な上りリソースが該Ｎ１個の第１の上りリソースを含むと決定し、該Ｍ個の利用可能な上りリソースが該Ｎ２個の第２の上りリソースのうちのＬＢＴ検出されて決定された上りリソースを含むと決定するように構成される。
【００９８】
任意選択で、一実施例として、該閾値が１６ｕｓである。
【００９９】
任意選択で、一実施例として、該処理ユニット４１０は、さらに、以下の少なくとも１つに基づいて、該ｉ番目の上りリソースの開始時刻及び／又は終了時刻を決定し、１、該送受信ユニット４２０を介して該ネットワークデバイスにより送信された第１の構成情報を受信し、該第１の構成情報が該ｉ番目の上りリソースの開始時刻及び／又は終了時刻を示し、２、該Ｎセットの下りリソースの終了位置に基づいて、該ｉ番目の上りリソースの開始時刻を決定し、３、該ｉ番目のセットの下りリソースの終了位置に基づいて、該ｉ番目の上りリソースの開始時刻を決定し、４、該ｉ−１番目の上りリソースの位置に基づいて、該ｉ番目の上りリソースの開始時刻を決定し、ここで、ｉが１よりも大きく、５、該ｉ番目の上りリソースの持続時間に基づいて、該ｉ番目の上りリソースの終了時刻を決定し、ここで、該ｉ番目の上りリソースの持続時間は、プロトコルにより約定され、又は該ネットワークデバイスにより構成される。
【０１００】
任意選択で、一実施例として、該処理ユニット４１０は、さらに、該ｉ番目のセットの下りリソースのパラメータを決定するように構成され、該ｉ番目のセットの下りリソースのパラメータは、該ｉ番目のセットの下りリソースの開始時刻、該ｉ番目のセットの下りリソースの終了時刻及び該ｉ番目のセットの下りリソースの持続時間のうちの少なくとも１つを含む。
【０１０１】
任意選択で、一実施例として、該処理ユニット４１０は、さらに、該送受信ユニット４２０を介して該ネットワークデバイスにより送信された第２の構成情報を受信するように構成され、該第２の構成情報は、該ｉ番目のセットの下りリソースの開始時刻、該ｉ番目のセットの下りリソースの終了時刻、該ｉ番目のセットの下りリソースの持続時間及び該ｉ番目のセットの上りフィードバック情報の長さのうちの少なくとも１つを含み、該第２の構成情報に基づいて、該ｉ番目のセットの下りリソースのパラメータを決定し、又は、該ｉ番目の上りリソースの開始時刻に基づいて、該ｉ番目のセットの下りリソースの終了時刻を決定し、又は、該ｉ番目の上りリソースの開始時刻及び該ｉ番目のセットの下りリソース持続時間に基づいて、該ｉ番目のセットの下りリソースの開始時刻を決定し、又は、該Ｎセットの下りデータが位置するＣＯＴの時間位置に基づいて、該ｉ番目のセットの下りリソースの開始時刻及び／又は終了時刻を決定するように構成される。
【０１０２】
任意選択で、一実施例として、該処理ユニット４１０は、さらに、第１のＣＯＴの開始時刻を該ｉ番目のセットの下りリソースの開始時刻として決定し、又は、第１のＣＯＴの開始時刻と第１のオフセット値との和に対応する時刻を該ｉ番目のセットの下りリソースの開始時刻として決定し、該Ｎセットの下りリソースにおける各セットの下りリソースが１つの第１のオフセット値に対応し、又は、第１のＣＯＴの終了時刻と第２のオフセット値との差に対応する時刻を該ｉ番目のセットの下りリソースの開始時刻として決定し、該Ｎセットの下りリソースが該第１のＣＯＴと該第１のＣＯＴの後の少なくとも１つのＣＯＴに属し、又は、第１のＣＯＴの終了時刻と第２のオフセット値との差に対応する時刻を目標時刻として決定し、該目標時刻と第１のオフセット値との和に対応する時刻を該ｉ番目のセットの下りリソースの開始時刻として決定し、該Ｎセットの下りリソースにおける各セットの下りリソースが１つの第１のオフセット値に対応するように構成される。
【０１０３】
任意選択で、一実施例として、該第２のオフセット値は、該ネットワークデバイスにより構成され、又は、該ｉ番目のセットの下りリソースのデータの処理遅延に基づいて決定される。
【０１０４】
任意選択で、一実施例として、該第２の構成情報が該ｉ番目のセットの上りフィードバック情報の長さを含み、該処理ユニット４１０は、さらに、該ｉ番目のセットの上りフィードバック情報の長さに基づいて、該ｉ番目のセットの下りリソースの持続時間を決定するように構成される。
【０１０５】
任意選択で、一実施例として、該Ｎ個の上りリソースが時間領域に連続する。
【０１０６】
任意選択で、一実施例として、該処理ユニット４１０は、さらに、該ｉ番目の上りリソースが利用可能であると決定する場合、該Ｍ個の利用可能な上りリソースを該ｉ番目の上りリソース及び該ｉ番目の上りリソースの後の全ての上りリソースとして決定するように構成される。
【０１０７】
任意選択で、一実施例として、該Ｎ個の上りリソースが免許不要キャリアに位置する。
【０１０８】
任意選択で、一実施例として、該処理ユニット４１０は、さらに、該該Ｎ個の上りリソースからＭ個の利用可能な上りリソースを決定する前に、該Ｎセットの下りリソースにおいて少なくとも１つの下りデータを受信すると決定するように構成される。
【０１０９】
任意選択で、一実施例として、該処理ユニット４１０は、さらに、該ｉ番目のセットの下りリソースにおいて下りデータを受信しない場合、該ｉ番目のセットの上りフィードバック情報の全部を否定確認ＮＡＣＫ情報として決定するように構成される。
【０１１０】
本願の実施例による端末デバイス４００は、本願の実施例における方法２００を実行することに対応し、端末デバイス４００における各部の上記及び他の操作及び/又は機能は、それぞれ図１〜図６における各方法における端末デバイスの対応するフローを実現するためのものであり、簡潔にするため、ここでは説明を省略する
そして、本願の実施例に係る端末デバイスによれば、Ｎ個の上りリソースを決定し、該Ｎ個の上りリソースにおいてＮセットの上りフィードバック情報を送信し、該Ｎセットの上りフィードバック情報を介してＮセットの下りリソースのデータ伝送状況をフィードバックし、ここで、該Ｎセットの下りリソースにおけるｉ番目のセットの下りリソースがｉ−１番目のセットの下りリソースの一部または全部を含み、次に、Ｎ個の上りリソースから利用可能な上りリソースを決定し、例えば、ＬＢＴ検出方式で利用可能な上りリソースを決定して、該上りリソースを利用してネットワークデバイスに対応する上りフィードバック情報を送信し、このように、端末デバイスがチャネルを占用する確率を増大させ、データ伝送の信頼性を向上させることができる
図８に示すように、本願の実施例におけるネットワークデバイス５００は、送受信ユニット５１０を含み、任意選択で、処理ユニット５２０を含み、具体的に、該送受信ユニット５１０は、Ｍ個の利用可能な上りリソースで端末デバイスにより送信された該Ｍ個の利用可能な上りリソースに対応するＭセットの上りフィードバック情報を受信するように構成され、該Ｍ個の利用可能な上りリソースは、該端末デバイスがＮ個の上りリソースにおいて決定され、該Ｎ個の上りリソースがＮセットの上りフィードバック情報を搬送するために使用され、該Ｎセットの上りフィードバック情報がＮセットの下りリソース内のデータ伝送状況をフィードバックするために使用され、ここで、該Ｎセットの上りフィードバック情報が該Ｍセットの上りフィードバック情報を含み、ｉ番目の上りリソースに対応するｉ番目のセットの上りフィードバック情報がｉ番目のセットの下りリソース内のデータ伝送状況をフィードバックするために使用され、ｉが１よりも大きい場合に該ｉ番目のセットの下りリソースがｉ−１番目のセットの下りリソースの全部又は一部を含み、Ｎが１よりも大きい正の整数であり、ｉ＝１、２、３、４、……、Ｎであり、ＭがＮ以下の正の整数である。
【０１１１】
任意選択で、一実施例として、該Ｎセットの下りリソースの終了時刻が該Ｎ個の上りリソースの開始時刻の前に位置し、又は、該ｉ番目のセットの下りリソースの終了時刻が該ｉ番目の上りリソースの開始時刻の前に位置する。
【０１１２】
任意選択で、一実施例として、該ｉ番目のセットの下りリソースの終了時刻とｉ番目の上りリソースの開始時刻との時間差が処理遅延以上であり、該処理遅延は、該端末デバイスが該ｉ番目のセットの下りリソースのデータを処理するために使用される時間に基づいて決定される。
【０１１３】
任意選択で、一実施例として、該処理遅延は、該ｉ番目のセットの下りリソースを占用して伝送する物理下り共有チャネルＰＤＳＣＨの復号時間、該ＰＤＳＣＨにおけるＤＭＲＳ構成及び該ｉ番目のセットの上りフィードバック情報を搬送する物理チャネルのうちの少なくとも１つに基づいて決定される。
【０１１４】
任意選択で、一実施例として、該処理ユニット５２０は、以下の少なくとも１つに基づいて、該ｉ番目の上りリソースの開始時刻及び／又は終了時刻を決定し、１、該Ｎセットの下りリソースの終了位置に基づいて、該ｉ番目の上りリソースの開始時刻を決定し、２、該ｉ番目のセットの下りリソースの終了位置に基づいて、該ｉ番目の上りリソースの開始時刻を決定し、３、該ｉ−１番目の上りリソースの位置に基づいて、該ｉ番目の上りリソースの開始時刻を決定し、ここで、ｉが１よりも大きく、４、該ｉ番目の上りリソースの持続時間に基づいて、該ｉ番目の上りリソースの終了時刻を決定する。
【０１１５】
任意選択で、一実施例として、該送受信ユニット５１０は、さらに、該端末デバイスに第１の構成情報を送信するように構成され、該第１の構成情報が該ｉ番目の上りリソースの開始時刻及び／又は終了時刻を示す。
【０１１６】
任意選択で、一実施例として、該処理ユニット５２０は、該ｉ番目のセットの下りリソースのパラメータを決定するように構成され、該ｉ番目のセットの下りリソースのパラメータは、該ｉ番目のセットの下りリソースの開始時刻、該ｉ番目のセットの下りリソースの終了時刻及び該ｉ番目のセットの下りリソースの持続時間の少なくとも１つを含む。
【０１１７】
任意選択で、一実施例として、該処理ユニット５２０は、さらに、該ｉ番目の上りリソースの開始時刻に基づいて、該ｉ番目のセットの下りリソースの終了時刻を決定し、又は、該ｉ番目の上りリソースの開始時刻及び該ｉ番目のセットの下りリソース持続時間に基づいて、該ｉ番目のセットの下りリソースの開始時刻を決定し、又は、該Ｎセットの下りデータが位置するＣＯＴの時間位置に基づいて、該ｉ番目のセットの下りリソースの開始時刻及び／又は終了時刻を決定するように構成される。
【０１１８】
任意選択で、一実施例として、該送受信ユニット５１０は、さらに、該端末デバイスに第２の構成情報を送信するように構成され、該第２の構成情報は、該ｉ番目のセットの下りリソースの開始時刻、該ｉ番目のセットの下りリソースの終了時刻、該ｉ番目のセットの下りリソースの持続時間及び該ｉ番目のセットの上りフィードバック情報の長さのうちの少なくとも１つを含み、該第２の構成情報に基づいて、該ｉ番目のセットの下りリソースのパラメータを決定するように構成される。
【０１１９】
任意選択で、一実施例として、該処理ユニット５２０は、さらに、第１のＣＯＴの開始時刻を該ｉ番目のセットの下りリソースの開始時刻として決定し、又は、第１のＣＯＴの開始時刻と第１のオフセット値との和に対応する時刻を該ｉ番目のセットの下りリソースの開始時刻として決定し、該Ｎセットの下りリソースにおける各セットの下りリソースが１つの第１のオフセット値に対応し、又は、第１のＣＯＴの終了時刻と第２のオフセット値との差に対応する時刻を該ｉ番目のセットの下りリソースの開始時刻として決定し、該Ｎセットの下りリソースが該第１のＣＯＴ及び該第１のＣＯＴの後の少なくとも１つのＣＯＴに属し、又は、第１のＣＯＴの終了時刻と第２のオフセット値との差に対応する時刻を目標時刻として決定し、該目標時刻と第１のオフセット値との和に対応する時刻を該ｉ番目のセットの下りリソースの開始時刻として決定し、該Ｎセットの下りリソースにおける各セットの下りリソースが１つの第１のオフセット値に対応する。
【０１２０】
任意選択で、一実施例として、該第２のオフセット値は、該ネットワークデバイスにより構成され、又は、該ｉ番目のセットの下りリソースのデータの処理遅延に基づいて決定される。
【０１２１】
任意選択で、一実施例として、該処理ユニット５２０は、さらに、該ｉ番目のセットの上りフィードバック情報の長さに基づいて、該ｉ番目のセットの下りリソースの持続時間を決定するように構成される。
【０１２２】
任意選択で、一実施例として、該Ｎ個の上りリソースが時間領域に連続する。
【０１２３】
任意選択で、一実施例として、該ｉ番目の上りリソースが利用可能な上りリソースである場合、該ｉ番目の上りリソース及び該ｉ番目の上りリソースの後の全ての上りリソースが該Ｍ個の利用可能な上りリソースである。
【０１２４】
任意選択で、一実施例として、該Ｎ個の上りリソースが免許不要キャリアに位置する。
【０１２５】
任意選択で、一実施例として、該送受信ユニット５１０は、さらに、該端末デバイスにより送信された該Ｍ個の利用可能な上りリソースに対応するＭセットの上りフィードバック情報を受信する前に、該Ｎセットの下りリソースにおいて少なくとも１つの下りデータを送信するように構成される。
【０１２６】
本願の実施例におけるネットワークデバイス５００は、本願の実施例における方法３００を実行することに対応し、ネットワークデバイス５００における各ユニットの上記及び他の操作及び/又は機能は、それぞれ図１〜図６における各方法におけるネットワークデバイスの対応するフローを実現するためのものであり、簡潔にするため、ここでは説明を省略する。
【０１２７】
そして、本願の実施例におけるネットワークデバイスによれば、受信した上りフィードバック情報に基づいて、対応する下りデータの伝送状況を決定し、ここで、該上りフィードバック情報を搬送するリソースは、端末デバイスがＮ個の上りリソースから決定した利用可能な上りリソースであり、端末デバイスが該Ｎ個の上りリソースにおいてＮセットの上りフィードバック情報を送信し、該Ｎセットの上りフィードバック情報を介してＮセットの下りリソースのデータ伝送状況をフィードバックし、該Ｎセットの下りリソースにおけるｉ番目のセットの下りリソースがｉ−１番目のセットの下りリソースの一部又は全部を含み、次に、Ｎ個の上りリソースから利用可能な上りリソースを決定し、例えば、ＬＢＴ検出を利用して、利用可能な上りリソースを決定して、該上りリソースを利用してネットワークデバイスに対応する上りフィードバック情報を送信し、このように、端末デバイスがチャネルを占用する確率を増大させ、データ伝送の信頼性を向上させることができる。
【０１２８】
図９は、本願の実施例における通信機器６００の概略構成図である。図９に示す通信デバイス６００は、メモリからコンピュータプログラムを呼び出して実行し、本願の実施例における方法を実現することができるプロセッサ６１０を含む。
【０１２９】
任意選択で、図９に示されるように、通信デバイス６００はまた、メモリ６２０を含み得る。ここで、プロセッサ６１０は、メモリ６２０からコンピュータプログラムを呼び出して実行することにより、本願の実施例における方法を実現することができる
ここで、メモリ６２０は、プロセッサ６１０とは独立した一つの別個の部品であってもよいし、プロセッサ６１０に集積されてもよい。
【０１３０】
任意選択で、図９に示すように、通信デバイス６００は、プロセッサ６１０が他の装置と通信するように制御する送受信機６３０を更に備えてもよく、特に、他の装置に情報又はデータを送信し、又は他の装置から送信された情報又はデータを受信するようにしてもよい。
【０１３１】
ここで、送受信機６３０は、送信機および受信機を含み得る。送受信機６３０は、１つ以上のアンテナをさらに含むことができる
任意選択で、該通信デバイス６００は具体的に本願の実施例のネットワークデバイスであってもよく、且つ該通信デバイス６００は本願の実施例の各方法におけるネットワークデバイスにより実現される対応するフローを実現してもよく、簡潔にするために、ここでその説明が省略される。
【０１３２】
任意選択で、該通信デバイス６００は、具体的には本願の実施例の移動端末/端末デバイスであってもよく、且つ該通信デバイス６００は、本願の実施例の各方法における移動端末/端末デバイスにより実現される相応のフローを実現することができ、簡潔にするために、ここでその説明を省略する。
【０１３３】
図１０は、本願実施例のチップの概略構成図である。図１０に示すチップ７００は、メモリからコンピュータプログラムを呼び出して実行することにより、本願の実施例における方法を実現するプロセッサ７１０を含む。
【０１３４】
任意選択で、図１０に示すように、チップ７００は、メモリ７２０をさらに含んでもよい。プロセッサ７１０は、メモリ７２０からコンピュータプログラムを呼び出して実行することにより、本願の実施例における方法を実現することができる。
【０１３５】
ここで、メモリ７２０は、プロセッサ７１０とは独立した別個の部品であってもよいし、プロセッサ７１０に集積されていてもよい。
【０１３６】
任意選択で、このチップ７００は、入力インタフェース７３０をさらに含むことができる。ここで、プロセッサ７１０は、該入力インタフェース７３０を制御して他のデバイス又はチップと通信し、具体的には、他のデバイス又はチップから送信された情報又はデータを取得することができる。
【０１３７】
任意選択で、チップ７００は、出力インタフェース７４０をさらに含んでもよい。プロセッサ７１０は、出力インタフェース７４０を制御して他のデバイス又はチップと通信し、具体的には、他のデバイス又はチップに情報又はデータを出力してもよい。
【０１３８】
任意選択で、該チップは、本願の実施例におけるネットワークデバイスに適用され、且つ該チップは、本願の実施例の各方法におけるネットワークデバイスにより実現される対応するフローを実現することができ、簡潔にするために、ここでその説明が省略される。
【０１３９】
任意選択で、該チップは、本願の実施例における移動端末/端末デバイスに適用され、且つ該チップは、本願の実施例における各方法における移動端末/端末デバイスにより実現される対応するフローを実現することができ、簡潔にするために、ここでその説明を省略する。
【０１４０】
なお、本願の実施例で言及されるチップは、システムレベルチップ、システムチップ、チップシステムまたはシステムオンチップなどと称されることもあることを理解されたい。
【０１４１】
図１１は、本願の実施例で提供される通信システム８００の概略ブロック図である。図１１に示すように、通信システム８００は、端末デバイス８１０と、ネットワークデバイス８２０とを有する。
【０１４２】
ここで、該端末デバイス８１０は、上記方法において端末デバイスにより実現される相応の機能を実現するために用いられてもよく、及び該ネットワークデバイス８２０は、上記方法においてネットワークデバイスにより実現される相応の機能を実現するために用いられてもよく、簡潔にするために、ここではその説明を省略する。
【０１４３】
本願の実施例のプロセッサは、信号の処理能力を有する集積回路チップであってもよい。実装において、方法の実施例における上述のステップは、プロセッサ内のハードウェアの集積論理回路またはソフトウェアの形態の命令によって達成され得る。上述したプロセッサは、汎用プロセッサ、ＤＳＰ（Ｄｉｇｉｔａｌ Ｓｉｇｎａｌ Ｐｒｏｃｅｓｓｏｒ）、ＡＳＩＣ（Ａｐｐｌｉｃａｔｉｏｎ Ｓｐｅｃｉｆｉｃ Ｉｎｔｅｇｒａｔｅｄ Ｃｉｒｃｕｉｔ）、ＦＰＧＡ（Ｆｉｅｌｄ Ｐｒｏｇｒａｍｍａｂｌｅ Ｇａｔｅ Ａｒｒａｙ）、または他のプログラマブル論理デバイス、ディスクリートゲートまたはトランジスタ論理デバイス、ディスクリートハードウェアコンポーネントであってもよい。本願の実施例に開示された方法、ステップ、及び論理ブロック図は、具現されたり実行されたりすることができる。汎用プロセッサは、マイクロプロセッサであってもよいし、任意の従来のプロセッサなどであってもよい。本願の実施例に関連して開示される方法のステップは、ハードウェアの復号プロセッサによって実行されるように直接具現化されてもよく、又は復号プロセッサ内のハードウェア及びソフトウェアモジュールの組み合わせによって実行されるように具現化されてもよい。ソフトウェアモジュールは、ランダムアクセスメモリ、フラッシュメモリ、読み取り専用メモリ、プログラム可能読み取り専用メモリ、または電気的に消去可能なプログラム可能メモリ、レジスタなどの当技術分野で周知の記憶媒体内に配置され得る。記憶媒体はメモリに配置され、プロセッサは、メモリの情報を読み取り、そのハードウェアと共に、上記方法のステップを実行する。
【０１４４】
本願の実施例におけるメモリは、揮発性メモリ又は不揮発性メモリであるか、又は揮発性メモリ及び不揮発性メモリの両方を含むことができることを理解されたい。ここで、不揮発性メモリは、Ｒｅａｄ−Ｏｎｌｙ Ｍｅｍｏｒｙ、Ｐｒｏｇｒａｍｍａｂｌｅ ＲＯＭ、ＥＰＲＯＭ、Ｅｌｅｃｔｒｉｃａｌｌｙ ＥＰＲＯＭ、またはフラッシュメモリであってもよい。揮発性メモリは、外部キャッシュとして使用されるランダムアクセスメモリ( Ｒａｎｄｏｍ Ａｃｃｅｓｓ Ｍｅｍｏｒｙ、ＲＡＭ )であってもよい。限定ではなく例示として、静的ランダムアクセスメモリ( Ｓｔａｔｉｃ ＲＡＭ、ＳＲＡＭ )、動的ランダムアクセスメモリ( Ｄｙｎａｍｉｃ ＲＡＭ、ＤＲＡＭ )、シンクロナスダイナミックランダムアクセスメモリ( Ｓｙｎｃｈｒｏｎｏｕｓ ＤＲＡＭ、ＳＤＲＡＭ )、ダブルデータレートシンクロナスダイナミックランダムアクセスメモリ( Ｄｏｕｂｌｅ Ｄａｔａ Ｒａｔｅ ＳＤＲＡＭ、ＤＤＲ ＳＤＲＡＭ )、エンハンストシンクロナスダイナミックランダムアクセスメモリ( Ｅｎｈａｎｃｅｄ ＳＤＲＡＭ、ＥＳＤＲＡＭ )、シンクロナスリンクダイナミックランダムアクセスメモリ( Ｓｙｎｃｈｌｉｎｋ ＤＲＡＭ、ＳＬＤＲＡＭ )、およびダイレクトメモリバスランダムアクセスメモリ( Ｄｉｒｅｃｔ Ｒａｍｂｕｓ ＲＡＭ、ＤＲ ＲＡＭ )など、多くの形態のＲＡＭが利用可能である。本明細書で説明するシステムおよび方法のメモリは、これらおよび任意の他の適切なタイプのメモリを含むことが意図されるが、これらに限定されないことに留意されたい。
【０１４５】
なお、上述したメモリは例示的なものであって限定的なものではないが、例えば、本願の実施例におけるメモリは、ＳＲＡＭ （ ｓｔａｔｉｃ ＲＡＭ ）、ＤＲＡＭ （ ｄｙｎａｍｉｃ ＲＡＭ ）、ＳＤＲＡＭ （ ｓｙｎｃｈｒｏｎｏｕｓ ＤＲＡＭ )、ＤＤＲ （ ＤＤＲ ＳＤＲＡＭ )のダブルデータレート同期型ダイナミックランダムアクセスメモリ、ＥＳＤＲＡＭ （ ｅｎｈａｎｃｅｄ ＳＤＲＡＭ ）、ＳＬＤＲＡＭ （ ｓｙｎｃｈ ｌｉｎｋ ＤＲＡＭ )、ＤＲ ＲＡＭ （ Ｄｉｒｅｃｔ Ｒａｍｂｕｓ ＲＡＭ )等であってもよい。すなわち、本願の実施例におけるメモリは、これら及び任意の他の適切なタイプのメモリを含むことが意図されるが、これらに限定されない。
【０１４６】
本願の実施例は、コンピュータプログラムを記憶するコンピュータ可読記憶媒体をさらに提供する。
【０１４７】
任意選択で、該コンピュータ読み取り可能な記憶媒体は、本願の実施例におけるネットワークデバイスに適用され、且つ該コンピュータプログラムは、コンピュータに、本願の実施例の各方法におけるネットワークデバイスにより実現される相応のフローを実行させ、簡潔にするために、ここではその説明を省略する。
【０１４８】
任意選択で、該コンピュータ読み取り可能な記憶媒体は、本願の実施例における移動端末/端末デバイスに適用され、且つ該コンピュータプログラムは、コンピュータに、本願の実施例の各方法における移動端末/端末デバイスにより実現される相応のフローを実行させ、簡潔にするために、ここではその説明を省略する。
【０１４９】
本願の実施例は、コンピュータプログラム命令を含むコンピュータプログラム製品をさらに提供する。
【０１５０】
任意選択で、該コンピュータプログラム製品は、本願の実施例におけるネットワークデバイスに適用され、該コンピュータプログラム命令は、コンピュータに、本願の実施例の各方法におけるネットワークデバイスにより実現される対応するフローを実行させ、簡潔にするために、ここでその説明を省略する。
【０１５１】
任意選択で、該コンピュータプログラム製品は、本願の実施例における移動端末/端末デバイスに適用され、該コンピュータプログラム命令は、コンピュータに、本願の実施例における各方法における移動端末/端末デバイスにより実現される対応するフローを実行させ、簡潔にするために、ここでは説明を省略する。
【０１５２】
本願の実施例は、コンピュータプログラムをさらに提供する。
【０１５３】
任意選択で、該コンピュータプログラムは、本願の実施例におけるネットワークデバイスに適用されてもよく、該コンピュータプログラムがコンピュータ上で実行されると、コンピュータに本願の実施例の各方法におけるネットワークデバイスにより実現される対応するフローを実行させ、簡潔にするために、ここではその説明を省略する。
【０１５４】
任意選択で、該コンピュータプログラムは、本願の実施例における移動端末/端末デバイスに適用されてもよく、該コンピュータプログラムがコンピュータ上で実行されると、コンピュータに本願の実施例の各方法における移動端末/端末デバイスにより実現される対応するフローを実行させ、簡潔にするために、ここでは説明を省略する。
【０１５５】
当業者は、本明細書に開示された実施例に関連して説明された各例のユニット及びアルゴリズムステップが、電子ハードウェア、又はコンピュータソフトウェアと電子ハードウェアの組合せで実装され得ることを認識するであろう。これらの機能がハードウェアまたはソフトウェアのいずれの方法で実行されるかは、技術案の特定の適用例および設計制約に依存する。当業者は、説明された機能を実施するために、特定の適用例ごとに異なる方法を使用してもよいが、そのような実施は、本願の範囲から逸脱すると見なされるべきではない。
【０１５６】
当業者であれば、説明の便宜及び簡潔のために、上記説明したシステム、装置及びユニットの具体的な動作過程は、上記方法の実施例における対応する過程を参照してもよく、ここでその説明が省略されることを理解するであろう。
【０１５７】
本明細書で提供されるいくつかの実施例では、開示されるシステム、装置、および方法は、他の方法で実施され得ることを理解されたい。例えば、上述した装置の実施例は単なる例示であり、例えば、説明されたユニットの分割は、１つの論理機能の分割にすぎず、実際に実装される場合、追加の分割があってもよく、例えば、複数のユニット又は構成要素が別のシステムに結合されても、統合されてもよく、又は、一部の特徴が省略されても、実行されなくてもよい。別の点において、示された又は考察された相互の結合又は直接的な結合又は通信接続は、電気的、機械的又は他の形態の、何らかのインターフェース、装置又はユニットを介した間接的な結合又は通信接続であってもよい。
【０１５８】
前記分離手段として説明された手段は、物理的に分離されても、または分離されなくてもよく、手段として示された手段は、物理的な手段であっても、または分離されなくてもよく、すなわち、一箇所に位置してもよく、または複数のネットワーク要素に分散されてもよい。なお、本実施例の目的を達成するために、必要に応じて、その一部または全部を選択することができる。
【０１５９】
また、本願の各実施例における各機能ユニットは、１つの処理ユニットに集積されてもよいし、それぞれのユニットが物理的に別個に存在してもよいし、２つ以上のユニットが１つのユニットに集積されてもよい。
【０１６０】
また、これらの機能がソフトウェア機能として実現され、独立した製品として販売または利用される場合には、コンピュータ読み取り可能な記録媒体に格納されてもよい。このような理解に基づいて、本願の技術案は、本質的に、または、従来技術に貢献する部分、または、その技術案の部分を、記憶媒体に記憶されたソフトウェア製品の形態で具体化することができ、そのソフトウェア製品は、本願の各実施例で説明される方法のステップの全部または一部を、コンピュータ装置(パーソナルコンピュータ、サーバ、またはネットワークデバイスなどであってもよい)に実行させるための命令を含む。なお、前記記憶媒体としては、Ｕ-ディスク、ポータブルハードディスク、Ｒｅａｄ-Ｏｎｌｙ Ｍｅｍｏｒｙ、ＲＯＭ、Ｒａｎｄｏｍ Ａｃｃｅｓｓ Ｍｅｍｏｒｙ、ＲＡＭ、磁気ディスク、光ディスクなど種々のプログラムコードを記憶できるものを含む。
【０１６１】
以上のように、本願の実施例は、本願の技術的思想に基づいて説明されたが、本願は、上述の実施例に限定されるものではなく、本願の技術的思想に基づく当業者であれば、本願の技術的範囲に含まれる。したがって、本願の保護範囲は、特許請求の範囲の保護範囲によってのみ定められるべきである。
【図１】
2022500893.tif 000003
【図２】
2022500893.tif 000004
【図３】
2022500893.tif 000005
【図４】
2022500893.tif 000006
【図５】
2022500893.tif 000007
【図６】
2022500893.tif 000008
【図７】
2022500893.tif 000009
【図８】
2022500893.tif 000010
【図９】
2022500893.tif 000011
【図１０】
2022500893.tif 000012
【図１１】
2022500893.tif 000013
【手続補正書】
【提出日】令和3年7月19日(2021.7.19)
【手続補正１】
【補正対象書類名】特許請求の範囲
【補正対象項目名】全文
【補正方法】変更
【補正の内容】
【特許請求の範囲】
【請求項１】
Ｎ個の上りリソースからＭ個の利用可能な上りリソースを決定することと、
前記Ｍ個の利用可能な上りリソースを利用して、前記Ｍ個の利用可能な上りリソースに対応するＭセットの上りフィードバック情報を送信することとを含み、
前記Ｎ個の上りリソースがＮセットの上りフィードバック情報を搬送するために使用され、ｉ番目のセットの上りフィードバック情報がｉ番目のセットの下りリソース内のデータ伝送状況を指示するために使用され、ｉが１よりも大きい場合に前記ｉ番目のセットの下りリソースがｉ−１番目のセットの下りリソースの全部を含み、Ｎが１よりも大きい正の整数であり、ｉ＝１、２、３、４、……、Ｎであり、ＭがＮ以下の正の整数である
ことを特徴とする情報伝送方法。
【請求項２】
ｉが１よりも大きい場合、前記ｉ番目のセットの上りフィードバック情報がｉ−１番目のセットの上りフィードバック情報の全部を含む
ことを特徴とする請求項１に記載の情報伝送方法。
【請求項３】
前記ｉ番目のセットの下りリソースの終了時刻が前記ｉ番目の上りリソースの開始時刻の前に位置する
ことを特徴とする請求項１又は２に記載の情報伝送方法。
【請求項４】
前記ｉ番目のセットの下りリソースの終了時刻とｉ番目の上りリソースの開始時刻との時間差が処理遅延以上であり、前記処理遅延は、前記ｉ番目のセットの下りリソースを占用して伝送するデータを処理するために使用される時間に基づいて決定される
ことを特徴とする請求項１又は２に記載の情報伝送方法。
【請求項５】
前記処理遅延は、前記ｉ番目のセットの下りリソースを占用して伝送する物理下り共有チャネルＰＤＳＣＨの復号時間、及び前記ｉ番目のセットの上りフィードバック情報が搬送される物理チャネルのうちの１つに基づいて決定される
ことを特徴とする請求項４に記載の情報伝送方法。
【請求項６】
前記Ｎ個の上りリソースからＭ個の利用可能な上りリソースを決定することは、
ＬＢＴ検出で前記Ｎ個の上りリソースから前記Ｍ個の利用可能な上りリソースを決定することを含む
ことを特徴とする請求項１又は２に記載の情報伝送方法。
【請求項７】
前記Ｎセットの下りリソースの終了位置に基づいて前記ｉ番目の上りリソースの開始時刻が決定される
ことを特徴とする請求項１又は２に記載の情報伝送方法。
【請求項８】
前記Ｎ個の上りリソースが免許不要キャリアに位置する
ことを特徴とする請求項１〜７のいずれか１項に記載の情報伝送方法。
【請求項９】
処理ユニットと、送受信ユニットとを備える端末デバイスであって、
前記処理ユニットは、Ｎ個の上りリソースからＭ個の利用可能な上りリソースを決定するように構成され、前記Ｎ個の上りリソースがＮセットの上りフィードバック情報を搬送するために使用され、ｉ番目のセットの上りフィードバック情報がｉ番目のセットの下りリソース内のデータ伝送状況を指示するために使用され、ｉが１よりも大きい場合に前記ｉ番目のセットの下りリソースがｉ−１番目のセットの下りリソースの全部を含み、Ｎが１よりも大きい正の整数であり、ｉ＝１、２、３、４、……、Ｎであり、ＭがＮ以下の正の整数であり、
前記送受信ユニットは、前記Ｍ個の利用可能な上りリソースを利用して、前記Ｍ個の利用可能な上りリソースに対応するＭセットの上りフィードバック情報を送信するように構成される
ことを特徴とする端末デバイス。
【請求項１０】
ｉが１よりも大きい場合、前記ｉ番目のセットの上りフィードバック情報がｉ−１番目のセットの上りフィードバック情報の全部を含む
ことを特徴とする請求項９に記載の端末デバイス。
【請求項１１】
前記ｉ番目のセットの下りリソースの終了時刻が前記ｉ番目の上りリソースの開始時刻の前に位置する
ことを特徴とする請求項９又は１０に記載の端末デバイス。
【請求項１２】
前記ｉ番目のセットの下りリソースの終了時刻とｉ番目の上りリソースの開始時刻との時間差が処理遅延以上であり、前記処理遅延は、前記ｉ番目のセットの下りリソースのデータを処理するために使用される時間に基づいて決定される
ことを特徴とする請求項９又は１０に記載の端末デバイス。
【請求項１３】
前記処理遅延は、前記ｉ番目のセットの下りリソースを占用して伝送する物理下り共有チャネルＰＤＳＣＨの復号時間、及び前記ｉ番目のセットの上りフィードバック情報が搬送される物理チャネルのうちの１つに基づいて決定される
ことを特徴とする請求項１２に記載の端末デバイス。
【請求項１４】
前記処理ユニットは、さらに、
ＬＢＴ検出で前記Ｎ個の上りリソースから前記Ｍ個の利用可能な上りリソースを決定するように構成される
ことを特徴とする請求項９又は１０に記載の端末デバイス。
【請求項１５】
前記処理ユニットは、さらに、
前記Ｎ個の上りリソースからＭ個の利用可能な上りリソースを決定する前に、前記Ｎセットの下りリソースにおいて少なくとも１つの下りデータを受信すると決定するように構成される
ことを特徴とする請求項９〜１４のいずれか１項に記載の端末デバイス。
【国際調査報告】
2022500893.tif 000014
2022500893.tif 000015
2022500893.tif 000016
2022500893.tif 000017